(57)【要約】第１のダウンリンク制御情報（ＤＣＩ）第２のＤＣＩを、インフラストラクチャノードが送信し、かつ無線送受信ユニット（ＷＴＲＵ）またはＷＴＲＵのグループが受信するためのシステム、方法、および手段が提供され得る。第１のＤＣＩは、タイムクリティカルなＤＣＩを搬送することができるが、第２のＤＣＩは、タイムクリティカルでないＤＣＩを搬送することができる。第１のＤＣＩおよび第２のＤＣＩのそれぞれは、ポーラ符号化され得る。ポーラ符号化され得る第２のＤＣＩは、凍結ビットの一部として埋め込まれた第１のＤＣＩと共に受信され得る。第２のＤＣＩは、埋め込まれた第１のＤＣＩがマップされる複数のビットチャネルよりも高い信頼性を有する複数のビットチャネルにマップされ得る。埋め込まれた第１のＤＣＩを用いたＤＣＩの復号が成功しない場合、ＷＴＲＵは、復号された第１のＤＣＩを廃棄することができる。
2020511027.tif 000002
【特許請求の範囲】
【請求項１】
無線送受信ユニット（ＷＴＲＵ）であって、
プロセッサであって、少なくとも
ポーラ符号化された第１のＤＣＩを受信し、
前記ポーラ符号化された第１のＤＣＩを復号し、
埋め込まれた第１のＤＣＩと共にポーラ符号化された第２のＤＣＩを受信し、前記埋め込まれた第１のＤＣＩは、凍結セットの一部であり、前記ポーラ符号化された第２のＤＣＩは、複数の第１のビットチャネルを介して受信され、前記埋め込まれた第１のＤＣＩは、複数の第２のビットチャネルを介して受信され、前記複数の第１のビットチャネルは、前記複数の第２のビットチャネルよりも高い信頼性のものであり、
前記復号された第１のＤＣＩを用いて前記ポーラ符号化された第２のＤＣＩを復号する
よう構成されたプロセッサ
を備えた無線送受信ユニット（ＷＴＲＵ）。
【請求項２】
前記プロセッサは、復号された第１のＤＣＩにより前記第２のＤＣＩを復号することが成功しない場合、前記復号された第１のＤＣＩを廃棄するようにさらに構成される請求項１に記載のＷＴＲＵ。
【請求項３】
前記埋め込まれた第１のＤＣＩは、ＷＴＲＵ識別（ＷＴＲＵ  ＩＤ）またはグループ識別（グループＩＤ）の少なくとも一部によりマスクされる請求項１に記載のＷＴＲＵ。
【請求項４】
前記埋め込まれた第１のＤＣＩ、および前記ＷＴＲＵ  ＩＤまたは前記グループＩＤの前記少なくとも一部は、ＸＯＲ演算を用いて組み合わされる請求項３に記載のＷＴＲＵ。
【請求項５】
前記第１のＤＣＩは、タイムクリティカルなＤＣＩを含む請求項１に記載のＷＴＲＵ。
【請求項６】
前記タイムクリティカルなＤＣＩは、物理ダウンリンク共有チャネル（ＰＤＳＣＨ）もしくは物理アップリンク共有チャネルＰＵＳＣＨに対する割振り情報、ランク情報、または変調次数のうちの１つまたは複数のものを含む請求項５に記載のＷＴＲＵ。
【請求項７】
前記第２のＤＣＩは、タイムクリティカルでないＤＣＩを含む請求項１に記載のＷＴＲＵ。
【請求項８】
前記タイムクリティカルでないＤＣＩは、新規データ指示（ＮＤＩ）、冗長バージョン（ＲＶ）、または、変調および符号化スキーム（ＭＣＳ）のうち１つまたは複数を含む請求項７に記載のＷＴＲＵ。
【請求項９】
前記ＷＴＲＵは、ＷＴＲＵの構成されたグループの一部である請求項１に記載のＷＴＲＵ。
【請求項１０】
前記第１のＤＣＩおよび前記第２のＤＣＩの各々は、ＷＴＲＵの前記構成されたグループに関連付けられたグループＤＣＩである請求項９に記載のＷＴＲＵ。
【請求項１１】
ポーラ復号方法であって、
ポーラ符号化された第１のＤＣＩを受信することと、
前記ポーラ符号化された第１のＤＣＩを復号することと、
埋め込まれた第１のＤＣＩと共にポーラ符号化された第２のＤＣＩを受信することであって、前記埋め込まれた第１のＤＣＩは、凍結セットの一部であり、前記ポーラ符号化された第２のＤＣＩは、複数の第１のビットチャネルを介して受信され、前記埋め込まれた第１のＤＣＩは、複数の第２のビットチャネルを介して受信され、前記複数の第１のビットチャネルは、前記複数の第２のビットチャネルよりも高い信頼性のものである、ことと、
前記復号された第１のＤＣＩを用いて前記ポーラ符号化された第２のＤＣＩを復号することと
を含むポーラ復号方法。
【請求項１２】
復号された第１のＤＣＩにより前記第２のＤＣＩを復号することが成功しない場合、前記復号された第１のＤＣＩを廃棄することをさらに含む請求項１１に記載の方法。
【請求項１３】
前記埋め込まれた第１のＤＣＩは、ＷＴＲＵ識別（ＷＴＲＵ  ＩＤ）またはグループ識別（グループＩＤ）の少なくとも一部によりマスクされる請求項１１に記載の方法。
【請求項１４】
前記埋め込まれた第１のＤＣＩ、および前記ＷＴＲＵ  ＩＤまたは前記グループＩＤの前記少なくとも一部は、ＸＯＲ演算を用いて組み合わされる請求項１３に記載の方法。
【請求項１５】
前記第１のＤＣＩは、タイムクリティカルなＤＣＩを含む請求項１１に記載の方法。
【請求項１６】
前記タイムクリティカルなＤＣＩは、物理ダウンリンク共有チャネル（ＰＤＳＣＨ）もしくは物理アップリンク共有チャネルＰＵＳＣＨに対する割振り情報、ランク情報、または変調次数のうち１つまたは複数を含む請求項１５に記載の方法。
【請求項１７】
前記第２のＤＣＩは、タイムクリティカルでないＤＣＩを含む請求項１１に記載の方法。
【請求項１８】
前記タイムクリティカルでないＤＣＩは、新規データ指示（ＮＤＩ）、冗長バージョン（ＲＶ）、または、変調および符号化スキーム（ＭＣＳ）のうち１つまたは複数を含む請求項１７に記載の方法。
【請求項１９】
前記ＷＴＲＵは、ＷＴＲＵの構成されたグループの一部である請求項１１に記載の方法。
【請求項２０】
前記第１のＤＣＩおよび前記第２のＤＣＩの各々は、ＷＴＲＵの前記構成されたグループに関連付けられたグループＤＣＩである請求項１９に記載の方法。
【請求項２１】
ネットワークノードであって、
プロセッサであって、少なくとも
無線送受信ユニット（ＷＴＲＵ）に対応するダウンリンク制御情報（ＤＣＩ）を第１のＤＣＩおよび第２のＤＣＩに分割し、
前記第１のＤＣＩをポーラ符号化し、
前記第１のＤＣＩをマスクし、
前記マスクされた第１のＤＣＩを凍結ビットとして用いて第２のＤＣＩをポーラ符号化し、前記第２のＤＣＩは、複数の第１のビットチャネルにマップされ、凍結ビットとして使用される前記マスクされた第１のＤＣＩは、複数の第２のビットチャネルにマップされ、前記複数の第１のビットチャネルは、前記複数の第２のビットチャネルよりも高い信頼性のものである
よう構成されたプロセッサ
を備えたネットワークノード。
【請求項２２】
前記第１のＤＣＩの少なくとも一部は、ＷＴＲＵ識別（ＷＴＲＵ  ＩＤ）またはグループ識別（グループＩＤ）の少なくとも一部によりマスクされる請求項２１に記載のネットワークノード。
【請求項２３】
前記ＷＴＲＵ  ＩＤまたは前記グループＩＤのマスクされた第１のＤＣＩは、凍結セットとして使用される請求項２２に記載のネットワークノード。
【請求項２４】
前記第１のＤＣＩ、および前記ＷＴＲＵ  ＩＤまたは前記グループＩＤの前記少なくとも一部は、ＸＯＲ演算を用いて組み合わされる請求項２３に記載のネットワークノード。
【請求項２５】
前記第１のＤＣＩは、タイムクリティカルなＤＣＩを含む請求項２１に記載のネットワークノード。
【請求項２６】
前記タイムクリティカルなＤＣＩは、物理ダウンリンク共有チャネル（ＰＤＳＣＨ）、もしくは物理アップリンク共有チャネルＰＵＳＣＨに対する割振り情報、ランク情報、または変調次数のうち１つまたは複数を含む請求項２５に記載のネットワークノード。
【請求項２７】
前記第２のＤＣＩは、タイムクリティカルでないＤＣＩを含む請求項２１に記載のネットワークノード。
【請求項２８】
前記タイムクリティカルでないＤＣＩは、新規データ指示（ＮＤＩ）、冗長バージョン（ＲＶ）、または変調および符号化スキーム（ＭＣＳ）のうち１つまたは複数を含む請求項２７に記載の基地局。
【請求項２９】
前記ＷＴＲＵは、ＷＴＲＵの構成されたグループの一部である請求項２１に記載のネットワークノード。
【請求項３０】
前記第１のＤＣＩおよび前記第２のＤＣＩの各々は、ＷＴＲＵの前記構成されたグループに関連付けられたグループＤＣＩである請求項２９に記載のネットワークノード。
【発明の詳細な説明】
【技術分野】
【０００１】
本発明は、ポーラ符号に関し、より詳細には、制御チャネル対する先進的なポーラ符号に関する。
【背景技術】
【０００２】
関連出願の相互参照
本出願は、２０１７年２月３日に出願された米国特許仮出願第６２／４５４，１０８号明細書の利益を主張するものであり、その内容は参照により本明細書に組み入れられる。
【０００３】
次世代移動体通信においては、新無線（ＮＲ）など、様々な無線アクセス技術（ＲＡＴ）が実施され得る。拡張モバイルブロードバンド（ｅＭＢＢ）、大容量マシンタイプ通信（ｍＭＴＣ）、および超高信頼低遅延通信（ＵＲＬＬＣ）などのアプリケーションは、ＮＲの一部として展開され得る。制御情報および／またはデータの送信に使用される既存の符号化スキームは、新しい符号化スキームによって補われ得る。
【発明の概要】
【０００４】
無線送受信ユニット（ＷＴＲＵ）によって、２段階ポーラ符号化ダウンリンク制御情報（ＤＣＩ）を受信する（例えば、インフラストラクチャノードから）ためのシステム、方法、および手段が提供され得る。ＷＴＲＵは、ポーラ符号化された第１のＤＣＩを受信することができる。ポーラ符号化された第１のＤＣＩは、例えば、物理ダウンリンク共有チャネル（ＰＤＳＣＨ）もしくは物理アップリンク共有チャネルＰＵＳＣＨに対する割振り情報、ランク情報、または変調次数のうちの１つまたは複数のものなど、タイムクリティカルな（time critical）ＤＣＩを含むことができる。ＷＴＲＵは、ポーラ符号化された第１のＤＣＩを復号することができる。
【０００５】
ＷＴＲＵは、ポーラ符号化された第２のＤＣＩを受信することができる。第２のＤＣＩは、凍結セットの一部として埋め込まれた第１のＤＣＩと共に受信され得る。ポーラ符号化された第２のＤＣＩは、タイムクリティカルでない（non-time critical）ＤＣＩを含むことができる。タイムクリティカルでないＤＣＩは、新規データ指示（ＮＤＩ：new data indication）、冗長バージョン（ＲＶ）、または、変調および符号化スキーム（ＭＣＳ：modulation and coding scheme）のうちの１つまたは複数のものを含むことができる。ポーラ符号化され、マスクされた第１のＤＣＩは、凍結セットの一部とすることができる。
【０００６】
埋め込まれる第１のＤＣＩは、ＷＴＲＵ識別（ＷＴＲＵ  ＩＤ）またはグループ識別（グループＩＤ）の少なくとも一部でマスクされた第１のＤＣＩを含むことができる。第１のＤＣＩ、およびＷＴＲＵ  ＩＤもしくはグループＩＤの少なくとも一部は、ＸＯＲ演算を用いて組み合わされ得る。
【０００７】
ＷＴＲＵは、ポーラ符号化された第２のＤＣＩを、複数の第１のビットチャネルを介して、かつ埋め込まれた第１のＤＣＩを、複数の第２のビットチャネルを介して受信することができる。複数の第１のビットチャネルは、複数の第２のビットチャネルよりも高い信頼性のものとすることができる。ＷＴＲＵは、復号された第１のＤＣＩを用いて、ポーラ符号化された第２のＤＣＩを復号することができる。ＷＴＲＵは、復号された第１のＤＣＩを用いた第２のＤＣＩの復号が不成功であった場合、復号された第１のＤＣＩを廃棄することができる。
【０００８】
ＷＴＲＵは、ＷＴＲＵの構成されたグループの一部とすることができる。第１のＤＣＩおよび第２のＤＣＩのそれぞれは、ＷＴＲＵの構成されたグループに関連付けられたグループＤＣＩとすることができる。
【０００９】
無線送受信ユニット（ＷＴＲＵ）またはＷＴＲＵのグループに対応する、例えば、ダウンリンク制御情報（ＤＣＩ）などの制御情報を分割するインフラストラクチャノードに対するシステム、方法、および手段が提供され得る。インフラストラクチャノードは、ｇＮｏｄｅＢ、ノードＢ、ｅＮｏｄｅＢ、ホームノードＢ、ホームｅＮｏｄｅＢ、ｇＮＢ、またはＮＲノードＢとすることができる。インフラストラクチャノードは、ＤＣＩを２つのＤＣＩに、すなわち、第１のＤＣＩおよび第２のＤＣＩに分割することができる。第１のＤＣＩは、タイムクリティカルなＤＣＩを搬送することができ、また第２のＤＣＩは、タイムクリティカルでないＤＣＩを搬送することができる。インフラストラクチャノードは、第１のＤＣＩをポーラ符号化することができる。
【００１０】
インフラストラクチャノードは、ＷＴＲＵ  ＩＤまたはグループＩＤの少なくとも一部を用いて第１のＤＣＩをマスクすることができる。インフラストラクチャノードは、例えば、ＸＯＲ演算を用いて、第１のＤＣＩを、ＷＴＲＵ  ＩＤまたはグループＩＤの少なくとも一部と組み合わせることができる。ＷＴＲＵ  ＩＤまたはグループＩＤでマスクされた第１のＤＣＩは、凍結ビットの一部とすることができる。
【００１１】
インフラストラクチャノードは、第２のＤＣＩをポーラ符号化することができる。インフラストラクチャノードは、第１のＤＣＩまたはマスクされた第１のＤＣＩを、凍結ビットとして用いて、第２のＤＣＩをポーラ符号化することができる。インフラストラクチャノードは、第２のＤＣＩを、第１の複数のビットチャネルにマップすることができる。インフラストラクチャノードは、マスクされた第１のＤＣＩを第２の複数のビットチャネルにマップすることができる。第１の複数のビットチャネルは、第２の複数のビットチャネルよりも高い信頼性のものとすることができる。
【００１２】
インフラストラクチャノードは、第１のＤＣＩ、第２のＤＣＩ、および埋め込まれた第１のＤＣＩを、ＷＴＲＵの構成されたグループの一部であり得るＷＴＲＵに送ることができる。第１のＤＣＩおよび第２のＤＣＩは、グループＤＣＩとすることができる。
【図面の簡単な説明】
【００１３】
【図１Ａ】１つまたは複数の開示される実施形態を実装することができる例示的な通信システムを例示するシステム図である。
【図１Ｂ】実施形態に応じて図１Ａに例示された通信システム内において使用することができる例示的な無線送受信ユニット（ＷＴＲＵ）を例示するシステム図である。
【図１Ｃ】実施形態に応じて図１Ａに例示された通信システム内において使用することができる例示的な無線アクセスネットワーク（ＲＡＮ）および例示的なコアネットワーク（ＣＮ）を例示するシステム図である。
【図１Ｄ】実施形態に応じて図１Ａに例示された通信システム内において使用することができる他の例示的なＲＡＮおよび他の例示的なＣＮを例示するシステム図である。
【図２】例示的なポーラエンコーダを例示する図である。
【図３】生成行列ＧNの分解の一例を例示する図である。
【図４】多段ポーラ復号の一例を例示する図である。
【図５】パリティ検査（ＰＣ）ポーラ符号化の一例を例示する図である。
【図６】制御情報の不均一な保護（ＵＥＰ）を提供するために使用することができるセット構成の一例を例示する図である。
【図７】本明細書において説明されるポーラ符号化スキームを用いるＵＥＰのブロック誤り率（ＢＬＥＲ）性能のシミュレーション結果を例示する図である。
【図８】ＵＥＰに対する情報ビット割振りの一例を例示する図である。
【図９】ＰＣポーラエンコーダにより符号化されたダウンリンク情報（ＤＣＩ）の一例を例示する図である。
【図１０】ポーラ符号化される２段ＤＣＩに対する例示的なエンコーダの構造を例示する図である。
【図１１】多段ＤＣＩに対する多段復号の一例を例示する図である。
【図１２】第１のＤＣＩに属するビットのいくつかまたはすべてが第２のＤＣＩの符号化において凍結ビットとして使用される、ポーラ符号化される２段ＤＣＩに対する例示的なエンコーダの構造を例示する図である。
【図１３】第１のＤＣＩをＷＴＲＵ  ＩＤによりＸＯＲ演算することができ、ＸＯＲ演算されたビットのすべてまたはいくつかを第２のＤＣＩの符号化において凍結ビットとして使用するポーラ符号化される２段ＤＣＩに対する例示的なエンコーダの構造を例示する図である。
【図１４】第１のＤＣＩによりＸＯＲ演算されたＰＣ凍結ビットを用いてＰＣポーラ符号によって第２のＤＣＩを符号化することができる、ＰＣポーラ符号化される２段ＤＣＩに対する例示的なエンコーダの構造を部分的に例示する図である。
【図１５】第１のグループＤＣＩのいくつかまたはすべてを第２のグループＤＣＩの符号化において凍結ビットとして使用することができる、ポーラ符号化される２段グループベースのＤＣＩに対する例示的なエンコーダの構造を例示する図である。
【図１６】グループＩＤによりＸＯＲ演算された第１のグループＤＣＩ、およびＸＯＲ演算されたビットのすべてまたはいくつかを第２のグループＤＣＩの符号化において凍結ビットとして使用することができる、ポーラ符号化される２段グループＤＣＩに対する例示的なエンコーダの構造を例示する図である。
【図１７】第１のグループＤＣＩによりＸＯＲ演算されたＰＣ凍結ビットを用いてＰＣポーラ符号によって第２のグループＤＣＩを符号化することができる、ＰＣポーラ符号化される２段グループＤＣＩに対する例示的なエンコーダの構造を部分的に例示する図である。
【図１８】種々の例示的なパンクチャリング機構についてのブロック誤り率（ＢＬＥＲ）の性能の比較を例示する図である。
【図１９】制御情報に対する例示的なポーラ符号化システムを例示する図である。
【発明を実施するための形態】
【００１４】
例示的な実施形態の詳細な説明が、次に様々な図を参照して述べられる。この説明は、可能な実装形態の詳細な例を提供するが、その詳細は、例示的なものであり、決して本出願の範囲を限定するようには意図されていないことに留意されたい。
【００１５】
図１Ａは、１つまたは複数の開示される実施形態が実施され得る例示的な通信システム１００を示す図である。通信システム１００は、複数の無線ユーザに、音声、データ、ビデオ、メッセージング、同報通信などのコンテンツを提供する複数のアクセスシステムとすることができる。通信システム１００は、複数の無線ユーザに、無線帯域幅を含むシステムリソースを共用することにより、このようなコンテンツにアクセスできるようにする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロック−フィルタ処理されたＯＦＤＭ（resource block-filtered OFDM）、フィルタバンクマルチキャリア（ＦＢＭＣ）、および同様のものなど、１つまたは複数のチャネルアクセス法を使用することができる。
【００１６】
図１Ａで示すように、通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、および他のネットワーク１１２を含むことができるが、開示された実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例として、ＷＴＲＵ１０２ａ、１０２ｂ、１０２ｃ、１０２ｄは、そのいずれも「ステーション」および／または「ＳＴＡ」と呼ばれ得るが、無線信号を送信かつ／または受信するように構成され、またユーザ装置（ＵＥ）、移動局、固定または移動加入者ユニット、サブスクリプションベースのユニット、ページャ、セルラ式電話、携帯情報端末（ＰＤＡ）、スマートフォン、ラップトップ、ネットブック、パーソナルコンピュータ、無線センサ、ホットスポットもしくはＭｉ−Ｆｉデバイス、モノのインターネット（ＩｏＴ）デバイス、時計もしくは他の装着可能なもの、頭部搭載型ディスプレイ（ＨＭＤ）、車両、ドローン、医用デバイスおよび応用（例えば、遠隔手術）、産業用デバイスおよび応用（例えば、ロボット、ならびに／または産業および／または自動化処理チェーン状況で動作する他の無線デバイス）、家庭用電子デバイス、商用および／産業用無線ネットワークで動作するデバイスなどを含むことができる。ＷＴＲＵ１０２ａ、１０２ｂ、１０２ｃ、および１０２ｄのいずれも、相互に交換可能にＵＥと呼ばれ得る。
【００１７】
通信システム１００はまた、基地局１１４ａおよび／または基地局１１４ｂを含むことができる。基地局１１４ａ、１１４ｂのそれぞれは、ＣＮ１０６／１１５、インターネット１１０、および／または他のネットワーク１１２などの１つまたは複数の通信ネットワークへのアクセスを容易するために、ＷＴＲＵ１０２ａ、１０２ｂ、１０２ｃ、１０２ｄの少なくとも１つと無線でインターフェースをとるように構成された任意のタイプのデバイスとすることができる。例として、基地局１１４ａ、１１４ｂは、送受信機基地局（ＢＴＳ）、ノードＢ、ｅＮｏｄｅＢ、ホームノードＢ、ホームｅＮｏｄｅＢ、ｇＮＢ、ＮＲノードＢ、サイトコントローラ、アクセスポイント（ＡＰ）、無線ルータ、および同様のものとすることができる。基地局１１４ａ、１１４ｂが、それぞれ、単一の要素として示されているが、基地局１１４ａ、１１４ｂは、任意の数の相互接続された基地局および／またはネットワーク要素を含み得ることが理解されよう。
【００１８】
基地局１１４ａは、ＲＡＮ１０４／１１３の一部とすることができ、それはまた、基地局制御装置（ＢＳＣ）、無線ネットワーク制御装置（ＲＮＣ）、中継ノードなどの他の基地局および／またはネットワーク要素（図示せず）を含むことができる。基地局１１４ａおよび／または基地局１１４ｂは、セル（図示せず）と呼ばれ得る１つまたは複数のキャリア周波数で無線信号を送信および／または受信するように構成され得る。これらの周波数は、認可スペクトル、未認可スペクトル、または認可および未認可スペクトルの組合せとすることができる。セルは、時間経過に対して比較的固定され得る、または変化し得る特定の地理学的エリアに対して無線サービスを行うための通達範囲を提供することができる。セルは、セルセクタへとさらに分割され得る。例えば、基地局１１４ａに関連付けられたセルは、３つのセクタに分割され得る。したがって、一実施形態では、基地局１１４ａは、３つの送受信機、すなわち、セルの各セクタに対して１つを含むことができる。実施形態では、基地局１１４ａは、多入力多出力（ＭＩＭＯ）技術を使用することができ、またセルの各セクタに対して複数の送受信機を利用することができる。例えば、望ましい空間方向において、信号を送信および／または受信するために、ビーム形成が使用され得る。
【００１９】
基地局１１４ａ、１１４ｂは、無線インターフェース１１６を介して、ＷＴＲＵ１０２ａ、１０２ｂ、１０２ｃ、１０２ｄの１つまたは複数のものと通信することができ、それは、任意の適切な無線通信リンクとすることができる（例えば、無線周波数（ＲＦ）、マイクロ波、センチメートル波、マイクロメートル波、赤外線（ＩＲ）、紫外線（ＵＶ）、可視光など）。無線インターフェース１１６は、任意の適切な無線アクセス技術（ＲＡＴ）を用いて確立され得る。
【００２０】
より具体的には、上記のように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセススキームを使用することができる。例えば、ＲＡＮ１０４／１１３における基地局１１４ａ、およびＷＴＲＵ１０２ａ、１０２ｂ、１０２ｃは、広帯域ＣＤＭＡ（ＷＣＤＭＡ）を用いて無線インターフェース１１５／１１６／１１７を確立できるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速ＵＬパケットアクセス（ＨＳＵＰＡ）を含むことができる。
【００２１】
実施形態では、基地局１１４ａおよびＷＴＲＵ１０２ａ、１０２ｂ、１０２ｃは、進化型ＵＭＴＳ地上無線アクセス（Ｅ−ＵＴＲＡ）などの無線技術を実施することができ、それは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を用いて、無線インターフェース１１６を確立することができる。
【００２２】
実施形態では、基地局１１４ａおよびＷＴＲＵ１０２ａ、１０２ｂ、１０２ｃは、新無線（ＮＲ）を用いる無線インターフェース１１６を確立できるＮＲ無線アクセスなどの無線技術を実施することができる。
【００２３】
実施形態では、基地局１１４ａおよびＷＴＲＵ１０２ａ、１０２ｂ、１０２ｃは、複数の無線アクセス技術を実施することができる。例えば、基地局１１４ａおよびＷＴＲＵ１０２ａ、１０２ｂ、１０２ｃは、例えば、デュアルコネクティビティ（ＤＣ）原理を用いて、ＬＴＥ無線アクセス、およびＮＲ無線アクセスを共に実施することができる。したがって、ＷＴＲＵ１０２ａ、１０２ｂ、１０２ｃにより利用される無線インターフェースは、複数タイプの無線アクセス技術により、かつ／または複数タイプの基地局（例えば、ｅＮＢおよびｇＮＢ）との間で送られる送信により特徴付けられ得る。
【００２４】
他の実施形態では、基地局１１４ａおよびＷＴＲＵ１０２ａ、１０２ｂ、１０２ｃは、ＩＥＥＥ８０２．１１（すなわち、Wireless Fidelity（ＷｉＦｉ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイル通信（ＧＳＭ）、ＧＳＭエボリューション拡張データレート（ＥＤＧＥ）、ＧＳＭ  ＥＤＧＥ（ＧＥＲＡＮ）、および同様のものなどの無線技術を実施することができる。
【００２５】
図１Ａの基地局１１４ｂは、例えば、無線ルータ、ホームノードＢ、ホームｅＮｏｄｅＢ、またはアクセスポイントとすることができ、また職場、家庭、車両、キャンパス、産業施設、空中回廊（例えば、ドローンで使用される）、車道、および同様の場所など、局所化されたエリアにおける無線接続を容易にするために任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実施することができる。実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実施することができる。さらに他の実施形態では、基地局１１４ｂおよびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａで示されるように、基地局１１４ｂは、インターネット１１０への直接接続を有することができる。したがって、基地局１１４ｂは、ＣＮ１０６／１１５を介してインターネット１１０にアクセスする必要のないこともあり得る。
【００２６】
ＲＡＮ１０４／１１３は、ＣＮ１０６／１１５と通信することができ、それは、ＷＴＲＵ１０２ａ、１０２ｂ、１０２ｃ、１０２ｄの１つまたは複数のものに対して、音声、データ、アプリケーション、および／またはボイスオーバインターネットプロトコル（ＶｏＩＰ）サービスを提供するように構成された任意のタイプのネットワークとすることができる。データは、異なるスループット要件、待ち時間要件、誤り許容要件、信頼性要件、データスループット要件、移動性要件、および同様のものなど、様々なサービス品質（ＱｏＳ）要件を有することがあり得る。ＣＮ１０６／１１５は、呼制御、課金サービス、移動体位置ベースサービス、プリペイドコーリング、インターネット接続、ビデオ配信などを提供し、かつ／またはユーザ認証などの高水準のセキュリティ機能を実施することができる。図１Ａで示されていないが、ＲＡＮ１０４／１１３および／またはＣＮ１０６／１１５は、ＲＡＮ１０４／１１３と同じＲＡＴ、または異なるＲＡＴを使用する他のＲＡＮと直接または間接的に通信できることが理解されよう。例えば、ＮＲ無線技術を利用することのできるＲＡＮ１０４／１１３に接続されるのに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を使用する別のＲＡＮ（図示せず）と通信することもできる。
【００２７】
ＣＮ１０６／１１５はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして働くことができる。ＰＳＴＮ１０８は、基本電話サービス（ＰＯＴＳ）を提供する回線交換電話網を含むことができる。インターネット１１０は、ＴＣＰ／ＩＰインターネットプロトコル群における伝送制御プロトコル（ＴＣＰ）、ユーザデータグラムプロトコル（ＵＤＰ）、および／またはインターネットプロトコル（ＩＰ）などの共通の通信プロトコルを使用する相互接続されたコンピュータネットワークおよびデバイスの大域システムを含むことができる。ネットワーク１１２は、他のサービスプロバイダにより所有され、かつ／または運営される有線および／または無線通信ネットワークを含むことができる。例えば、ネットワーク１１２は、ＲＡＮ１０４／１１３と同じＲＡＴ、または異なるＲＡＴを使用できる１つまたは複数のＲＡＮに接続された別のＣＮを含むことができる。
【００２８】
通信システム１００におけるＷＴＲＵ１０２ａ、１０２ｂ、１０２ｃ、１０２ｄのいくつか、またはすべては、マルチモード機能を含むことができる（例えば、ＷＴＲＵ１０２ａ、１０２ｂ、１０２ｃ、１０２ｄは、様々な無線リンクを介して、様々な無線ネットワークと通信するための複数の送受信機を含むことができる）。例えば、図１Ａで示されるＷＴＲＵ１０２ｃは、セルラベースの無線技術を使用できる基地局１１４ａと、かつＩＥＥＥ８０２無線技術を使用できる基地局１１４ｂと通信するように構成され得る。
【００２９】
図１Ｂは、例示的なＷＴＲＵ１０２を示すシステム図である。図１Ｂで示されるように、ＷＴＲＵ１０２は、いくつかある中で特に、プロセッサ１１８、送受信機１２０、送信／受信素子１２２、スピーカ／マイクロフォン１２４、キーパッド１２６、ディスプレイ／タッチパッド１２８、取外し不可能なメモリ１３０、取外し可能なメモリ１３２、電源１３４、全地球測位システム（ＧＰＳ）チップセット１３６、および／または他の周辺装置１３８を含むことができる。ＷＴＲＵ１０２は、前述の要素の任意の下位の組合せを含むことができるが、なお実施形態との一貫性を有していることが理解されよう。
【００３０】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連付けられた１つまたは複数のマイクロプロセッサ、コントローラ、マイクロコントローラ、特定用途向け集積回路（ＡＳＩＣ）、書き替え可能ゲートアレイ（ＦＰＧＡ）回路、任意の他のタイプの集積回路（ＩＣ）、状態機械、および同様のものとすることができる。プロセッサ１１８は、信号符号化、データ処理、電力制御、入力／出力処理、および／またはＷＴＲＵ１０２を無線環境で動作できるようにする任意の他の機能を実施することができる。プロセッサ１１８は、送受信機１２０に結合され得るが、送受信機１２０は、送信／受信素子１２２に結合され得る。図１Ｂは、プロセッサ１１８と送受信機１２０とを別々の構成要素として示しているが、プロセッサ１１８および送受信機１２０は、電子パッケージまたはチップにおいて共に一体化され得ることが理解されよう。
【００３１】
送信／受信素子１２２は、無線インターフェース１１６を介して、基地局（例えば、基地局１１４ａ）に信号を送信する、または信号を受信するように構成され得る。例えば、一実施形態では、送信／受信素子１２２は、ＲＦ信号を送信および／または受信するように構成されたアンテナとすることができる。実施形態では、送信／受信素子１２２は、例えば、ＩＲ、ＵＶ、または可視光信号を送信および／または受信するように構成された発光体／検出器とすることができる。さらに別の実施形態では、送信／受信素子１２２は、ＲＦおよび光信号を共に送信および／または受信するように構成され得る。送信／受信素子１２２は、無線信号の任意の組合せを送信および／または受信するように構成され得ることが理解されよう。
【００３２】
送信／受信素子１２２が、図１Ｂで単一の要素として示されているが、ＷＴＲＵ１０２は、任意の数の送信／受信素子１２２を含むことができる。より具体的には、ＷＴＲＵ１０２は、ＭＩＭＯ技術を使用することができる。したがって、一実施形態では、ＷＴＲＵ１０２は、無線インターフェース１１６を介して、無線信号を送信および受信するために、２つ以上の送信／受信素子１２２（例えば、複数のアンテナ）を含むことができる。
【００３３】
送受信機１２０は、送信／受信素子１２２により送信される信号を変調し、かつ送信／受信素子１２２により受信される信号を復調するように構成され得る。前述のように、ＷＴＲＵ１０２は、マルチモード機能を有することができる。したがって、送受信機１２０は、ＷＴＲＵ１０２が、例えば、ＮＲおよびＩＥＥＥ８０２．１１などの複数のＲＡＴにより通信できるようにするための複数の送受信機を含むことができる。
【００３４】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニット、または有機発光ダイオード（ＯＬＥＤ）ディスプレイユニット）に結合され得るが、またそこからユーザ入力データを受信することができる。プロセッサ１１８はまた、ユーザデータを、スピーカ／マイクロフォン１２４、キーパッド１２６、および／またはディスプレイ／タッチパッド１２８に出力することができる。加えて、プロセッサ１１８は、取外し不可能なメモリ１３０、および／または取外し可能なメモリ１３２など、任意のタイプの適切なメモリからの情報にアクセスし、かつデータをそこに記憶することができる。取外し不可能なメモリ１３０は、ランダムアクセスメモリ（ＲＡＭ）、読出し専用メモリ（ＲＯＭ）、ハードディスク、または任意の他のタイプのメモリ記憶デバイスを含むことができる。取外し可能なメモリ１３２は、加入者識別モジュール（ＳＩＭ）カード、メモリスティック、セキュアデジタル（ＳＤ）メモリカード、および同様のものを含むことができる。他の実施形態では、プロセッサ１１８は、サーバまたは家庭用コンピュータ（図示せず）など、ＷＴＲＵ１０２上に物理的に位置していないメモリからの情報にアクセスし、かつそこにデータを記憶することができる。
【００３５】
プロセッサ１１８は、電源１３４から電力を受け取ることができ、またＷＴＲＵ１０２における他の構成要素に電力を配布し、かつ／または制御するように構成され得る。電源１３４は、ＷＴＲＵ１０２に電力を供給するための任意の適切なデバイスとすることができる。例えば、電源１３４は、１つまたは複数の乾電池（例えば、ニッケルカドミウム（ＮｉＣｄ）、ニッケル亜鉛（ＮｉＺｎ）ニッケル水素（ＮｉＭＨ）、リチウムイオン（Ｌｉ−ｉｏｎ）など）、太陽電池、燃料電池、および同様のものを含むことができる。
【００３６】
プロセッサ１１８はまた、ＷＴＲＵ１０２の現在位置に関する位置情報（例えば、経度および緯度）を提供するように構成され得るＧＰＳチップセット１３６に結合され得る。ＧＰＳチップセット１３６からの情報に加えて、またはそれに代えて、ＷＴＲＵ１０２は、基地局（例えば、基地局１１４ａ、１１４ｂ）から無線インターフェース１１６を介して位置情報を受け取り、かつ／または２つ以上の近傍の基地局から受信される信号のタイミングに基づき、その位置を決定することができる。ＷＴＲＵ１０２は、実施形態との一貫性を有しながら、任意の適切な位置決定法により位置情報を取得できることを理解されよう。
【００３７】
プロセッサ１１８は、さらなる特徴、機能性、および／または有線もしくは無線接続性を提供する１つまたは複数のソフトウェアおよび／またはハードウェアモジュールを含むことのできる他の周辺装置１３８にさらに結合され得る。例えば、周辺装置１３８は、加速度計、電子コンパス、衛星送受信機、デジタルカメラ（写真および／またはビデオ用）、ユニバーサルシリアルバス（ＵＳＢ）ポート、振動デバイス、テレビジョン送受信機、手を使用しないヘッドセット、Ｂｌｕｅｔｏｏｔｈ（登録商標）モジュール、周波数変調（ＦＭ）無線ユニット、デジタルミュージックプレーヤ、メディアプレーヤ、ビデオゲームプレーヤモジュール、インターネットブラウザ、仮想現実および／または拡張現実感（ＶＲ／ＡＲ）デバイス、活動量計（ａｃｔｉｖｉｔｙ  ｔｒａｃｋｅｒ）、および同様のものを含むことができる。周辺装置１３８は、１つまたは複数のセンサを含むことができ、センサは、ジャイロスコープ、加速度計、ホール効果センサ、磁力計、方向センサ、近接センサ、温度センサ、時間センサ、ジオロケーション（ｇｅｏｌｏｃａｔｉｏｎ）センサ、高度計、光センサ、タッチセンサ、磁力計、気圧計、ジェスチャセンサ、生物測定センサ、および／または湿度センサのうちの１つまたは複数のものとすることができる。
【００３８】
ＷＴＲＵ１０２は、（例えば、ＵＬ（例えば、送信用）とダウンリンク（例えば、受信用）との両方に対する特定のサブフレームに関連付けられた信号のいくつかまたはすべての送信および受信が、一致するおよび／または同時であることができる全二重無線を含むことができる。全二重無線は、干渉管理ユニットを含み、ハードウェア（例えば、チョーク）により、またはプロセッサによる（例えば、別個のプロセッサ（図示せず）もしくはプロセッサ１１８による）信号処理により自己干渉を低下させる、およびまたは実質的に除去することができる。実施形態において、ＷＲＴＵ１０２は、（例えば、ＵＬ（例えば、送信用）かダウンリンク（例えば、受信用）かのいずれかに対する特定のサブフレームに関連付けられた）信号のいくつか、またはすべての送信および受信に対して半二重無線を含むことができる。
【００３９】
図１Ｃは、実施形態によるＲＡＮ１０４およびＣＮ１０６を示すシステム図である。上記のように、ＲＡＮ１０４は、無線インターフェース１１６を介してＷＴＲＵ１０２ａ、１０２ｂ、１０２ｃと通信するために、Ｅ−ＵＴＲＡ無線技術を使用することができる。ＲＡＮ１０４はまた、ＣＮ１０６と通信することができる。
【００４０】
ＲＡＮ１０４は、ｅＮｏｄｅＢ１６０ａ、１６０ｂ、１６０ｃを含むことができるが、ＲＡＮ１０４は、実施形態との一貫性を有しながら任意の数のｅＮｏｄｅＢを含み得ることが理解されよう。ｅＮｏｄｅＢ１６０ａ、１６０ｂ、１６０ｃは、それぞれ、無線インターフェース１１６を介して、ＷＴＲＵ１０２ａ、１０２ｂ、１０２ｃと通信するための１つまたは複数の送受信機を含むことができる。一実施形態では、ｅＮｏｄｅＢ１６０ａ、１６０ｂ、１６０ｃは、ＭＩＭＯ技術を実施することができる。したがって、ｅＮｏｄｅＢ１６０ａは、例えば、複数のアンテナを使用して、ＷＴＲＵ１０２ａに無線信号を送信し、かつ／またはそこから無線信号を受信することができる。
【００４１】
ｅＮｏｄｅＢ１６０ａ、１６０ｂ、１６０ｃのそれぞれは、特定のセル（図示せず）と関連付けられ、また無線リソース管理決定、ハンドオーバ決定、ＵＬおよび／またはＤＬにおけるユーザのスケジューリングなどを処理するように構成され得る。図１Ｃで示されるように、ｅＮｏｄｅＢ１６０ａ、１６０ｂ、１６０ｃは、Ｘ２インターフェースを介して互いに通信することができる。
【００４２】
図１Ｃで示されるＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（またはＰＧＷ）１６６を含むことができる。前述の要素のそれぞれは、ＣＮ１０６の一部として示されているが、これらの要素のいずれも、ＣＮ運営者以外のエンティティによって所有され、かつ／または運営され得ることが理解されよう。
【００４３】
ＭＭＥ１６２は、Ｓ１インターフェースを介して、ＲＡＮ１０４におけるｅＮｏｄｅＢ１６２ａ、１６２ｂ、１６２ｃの各々に接続され、制御ノードとして働くことができる。例えば、ＭＭＥ１６２は、ＷＴＲＵ１０２ａ、１０２ｂ、１０２ｃのユーザの認証、ベアラの活動化／非活動化、ＷＴＲＵ１０２ａ、１０２ｂ、１０２ｃの初期アタッチ間の特定のサービングゲートウェイを選択すること、および同様のものを扱うことができる。ＭＭＥ１６２は、ＲＡＮ１０４と、ＧＳＭおよび／またはＷＣＤＭＡなどの他の無線技術を使用する他のＲＡＮ（図示せず）との間を切り換えるための制御プレーン機能を提供することができる。
【００４４】
ＳＧＷ１６４は、Ｓ１インターフェースを介して、ＲＡＮ１０４におけるｅＮｏｄｅＢ１６０ａ、１６０ｂ、１６０ｃのそれぞれに接続され得る。ＳＧＷ１６４は、概して、ＷＴＲＵ１０２ａ、１０２ｂ、１０２ｃとの間で、ユーザデータパケットの経路指定をし、かつ転送することができる。ＳＧＷ１６４は、ｅＮｏｄｅＢ間のハンドオーバの間にユーザプレーンをアンカリングすること、ＤＬデータがＷＴＲＵ１０２ａ、１０２ｂ、１０２ｃに利用可能になったとき、ページングをトリガすること、ＷＴＲＵ１０２ａ、１０２ｂ、１０２ｃのコンテキストを管理し、かつ記憶すること、ならびに同様のものなど、他の機能を実施することができる。
【００４５】
ＳＧＷ１６４は、ＰＧＷ１６６に接続され得るが、それは、ＷＴＲＵ１０２ａ、１０２ｂ、１０２ｃに、インターネット１１０などのパケット交換網へのアクセスを提供して、ＷＴＲＵ１０２ａ、１０２ｂ、１０２ｃとＩＰ使用可能なデバイスとの間の通信を容易にすることができる。
【００４６】
ＣＮ１０６は、他のネットワークとの通信を容易にすることができる。例えば、ＣＮ１０６は、ＷＴＲＵ１０２ａ、１０２ｂ、１０２ｃに、ＰＳＴＮ１０８などの回線交換網へのアクセスを提供し、ＷＴＲＵ１０２ａ、１０２ｂ、１０２ｃと従来の陸線通信デバイスとの間の通信を容易にすることができる。例えば、ＣＮ１０６は、ＣＮ１０６とＰＳＴＮ１０８との間のインターフェースとして働くＩＰゲートウェイ（例えば、ＩＰマルチメディアサブシステム（ＩＭＳ）サーバ）を含むことができる、またはそれと通信することができる。さらに、ＣＮ１０６は、ＷＴＲＵ１０２ａ、１０２ｂ、１０２ｃに、他のサービスプロバイダにより所有され、かつ／または運営される他の有線および／または無線ネットワークを含むことのできる他のネットワーク１１２へのアクセスを提供することができる。
【００４７】
ＷＴＲＵが、図１Ａ〜図１Ｄで無線端末として述べられているが、いくつかの代表的な実施形態では、このような端末は、通信ネットワークとの有線通信インターフェースを（例えば、一時的に、または恒久的に）使用できることも企図される。
【００４８】
代表的な実施形態では、他のネットワーク１１２は、ＷＬＡＮとすることができる。
【００４９】
インフラストラクチャ基本サービスセット（ＢＳＳ）モードにおけるＷＬＡＮは、ＢＳＳに対するアクセスポイント（ＡＰ）、およびそのＡＰに関連付けられた１つまたは複数のステーション（ＳＴＡ）を有することができる。ＡＰは、配信システム（ＤＳ）への、またはＢＳＳに、かつ／またはＢＳＳからトラフィックを搬送する別のタイプの有線／無線ネットワークへのアクセスもしくはインターフェースを有することができる。ＢＳＳの外側から生ずるＳＴＡへのトラフィックはＡＰを介して到来し、ＳＴＡに送達され得る。ＢＳＳの外側の宛先へのＳＴＡから生ずるトラフィックは、各宛先に送達されるようにＡＰに送られ得る。ＢＳＳ内のＳＴＡ間のトラフィックは、例えば、ＡＰを介して送られ得るが、ソースＳＴＡは、トラフィックをＡＰに送ることができ、またＡＰは、トラフィックを宛先のＳＴＡに送達することができる。ＢＳＳ内のＳＴＡ間のトラフィックは、ピアツーピアトラフィックであると考えられ、かつ／またはそのように呼ばれ得る。ピアツーピアトラフィックは、ダイレクトリンクのセットアップ（ＤＬＳ）で、ソースと宛先ＳＴＡとの間で（例えば、その間で直接）送られ得る。いくつかの代表的な実施形態では、ＤＬＳは，８０２．１１ｅ  ＤＬＳ、または８０２．１１ｚトンネルＤＬＳ（ＴＤＬＳ）を使用することができる。独立したＢＳＳ（ＩＢＳＳ）モードを使用するＷＬＡＮは、ＡＰを有しないこともあり得るが、ＩＢＳＳ内の、またはそれを使用するＳＴＡ（例えば、ＳＴＡのすべて）は、互いに直接通信することができる。通信のＩＢＳＳモードは、本明細書において、通信の「アドホック」モードと呼ばれることもあり得る。
【００５０】
８０２．１１ａｃインフラストラクチャ動作モード、または同様の動作モードを使用する場合、ＡＰは、プライマリチャネルなどの固定チャネルでビーコンを送信することができる。プライマリチャネルは、固定された幅（例えば、２０ＭＨｚ幅の帯域幅）、またはシグナリングにより動的に設定された幅とすることができる。プライマリチャネルは、ＢＳＳの動作チャネルとすることができ、またＡＰとの接続を確立するためにＳＴＡによって使用され得る。いくつかの代表的な実施形態では、例えば、８０２．１１システムでは、衝突回避を備えたキャリア検知の多重アクセス（ＣＳＭＡ／ＣＡ）が実施され得る。ＣＳＭＡ／ＣＡの場合、ＳＴＡ（例えば、あらゆるＳＴＡ）は、ＡＰも含めて、プライマリチャネルを感知することができる。プライマリチャネルが、特定のＳＴＡにより、ビジー状態にあると感知／検出される、かつ／または決定された場合、特定のＳＴＡは取り下げることができる。１つのＳＴＡ（１つのステーションだけ）が、所与のＢＳＳにおいて、任意の所与の時間に送信することができる。
【００５１】
高スループット（ＨＴ）ＳＴＡは、４０ＭＨｚ幅のチャネルを形成するために、例えば、主となる２０ＭＨｚチャネルを、隣接する、または非隣接の２０ＭＨｚチャネルと組み合わせることにより、４０ＭＨｚ幅のチャネルを通信に使用することができる。
【００５２】
非常に高いスループット（ＶＨＴ）ＳＴＡは、２０ＭＨｚ、４０ＭＨｚ、８０ＭＨｚ、および／または１６０ＭＨｚ幅のチャネルをサポートすることができる。４０ＭＨｚおよび／または８０ＭＨｚチャネルは、隣接する２０ＭＨｚチャネルを組み合わせることによって形成され得る。１６０Ｈｚチャネルは、８個の隣接する２０ＭＨｚチャネルを組み合わせることにより、または２つの隣接しない８０ＭＨｚチャネルを組み合わせることにより形成され得るが、それは、８０＋８０構成と呼ばれ得る。８０＋８０構成の場合、チャネル符号化の後、データは、データを２つのストリームへと分割できるセグメントパーサを通され得る。逆高速フーリエ変換（ＩＦＦＴ）処理、および時間ドメイン処理が、別々に各ストリームに対して行われ得る。ストリームは、２つの８０ＭＨｚチャネルにマップされ、データは、送信ＳＴＡによって送信され得る。受信ＳＴＡの受信機において、８０＋８０構成に対する前述の動作が逆にされ、組み合わされたデータは、メディアアクセス制御（ＭＡＣ）に送られ得る。
【００５３】
Ｓｕｂ−１ＧＨｚ動作モードが、８０２．１１ａｆおよび８０２．１１ａｈでサポートされる。チャネル動作帯域幅および搬送波は、８０２．１１ｎおよび８０２．１１ａｃで使用されるものに対して８０２．１１ａｆおよび８０２．１１ａｈでは低減される。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、また８０２．１１ａｈは、非ＴＶＷＳスペクトルを使用して１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレッジエリアにおけるＭＴＣデバイスなど、メータタイプ制御／マシンタイプ通信をサポートすることができる。ＭＴＣデバイスは、例えば、いくつかの、かつ／または限定された帯域幅に対するサポート（例えば、それに対するサポートだけ）を含む限定された機能など、いくつかの機能を有することができる。ＭＴＣデバイスは、（例えば、非常に長い電池寿命を維持するために）閾値を超える電池寿命を有する電池を含むことができる。
【００５４】
８０２．１１ｎ、８０２．１１ａｃ、８０２．１１ａｆ、および８０２．１１ａｈなど、複数のチャネルおよびチャネル帯域幅をサポートできるＷＬＡＮシステムは、プライマリチャネルとして指定され得るチャネルを含む。プライマリチャネルは、ＢＳＳにおけるすべてのＳＴＡによりサポートされる最大の共通動作帯域幅に等しい帯域幅を有することができる。プライマリチャネルの帯域幅は、ＢＳＳ内で動作するすべてのＳＴＡの中から、最小の帯域幅動作モードをサポートするＳＴＡによって設定および／または制限され得る。８０２．１１ａｈの例では、プライマリチャネルは、ＡＰ、およびＢＳＳにおける他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（それだけをサポートする）ＳＴＡ（例えば、ＭＴＣタイプのデバイス）に対する１ＭＨｚ幅とすることができる。キャリア感知および／またはネットワーク割当てベクトル（ＮＡＶ）設定は、プライマリチャネルの状況に依存することがあり得る。例えば、ＡＰに送信するＳＴＡ（１ＭＨｚの動作モードだけをサポートする）に起因して、プライマリチャネルがビジー状態である場合、周波数帯の大部分がアイドル状態のままであり、かつ利用可能であり得るとしても、利用可能な周波数帯全体がビジー状態であると見なされ得る。
【００５５】
米国では、８０２．１１ａｈにより使用され得る利用可能な周波数帯は、９０２ＭＨｚから９２８ＭＨｚである。朝鮮、韓国では、利用可能な周波数帯は、９１７．５ＭＨｚから９２３．５ＭＨｚである。日本では、利用可能な周波数帯は、９１６．５ＭＨｚから９２７．５ＭＨｚである。８０２．１１ａｈに利用可能な全体の帯域幅は、国の法規に応じて６ＭＨｚから２６ＭＨｚである。
【００５６】
図１Ｄは、実施形態によるＲＡＮ１１３およびＣＮ１１５を示すシステム図である。上記のように、ＲＡＮ１１３は、ＮＲ無線技術を使用して、無線インターフェース１１６を介してＷＴＲＵ１０２ａ、１０２ｂ、１０２ｃと通信することができる。ＲＡＮ１１３はまた、ＣＮ１１５と通信することができる。
【００５７】
ＲＡＮ１１３は、ｇＮＢ１８０ａ、１８０ｂ、１８０ｃを含むことができるが、実施形態との一貫性を有しながら、ＲＡＮ１１３は、任意の数のｇＮＢを含み得ることが理解されよう。ｇＮＢ１８０ａ、１８０ｂ、１８０ｃは、それぞれ、無線インターフェース１１６を介して、ＷＴＲＵ１０２ａ、１０２ｂ、１０２ｃと通信するための１つまたは複数の送受信機を含むことができる。一実施形態では、ｇＮＢ１８０ａ、１８０ｂ、１８０ｃは、ＭＩＭＯ技術を実施することができる。例えば、ｇＮＢ１８０ａ、１８０ｂは、ビーム形成を利用して、ｇＮＢ１８０ａ、１８０ｂ、１８０ｃに信号を送信し、かつ／または信号をそこから受信することができる。したがって、例えば、ｇＮＢ１８０ａは、複数のアンテナを使用して、ＷＴＲＵ１０２ａに無線信号を送信し、かつ／またはそこから無線信号を受信することができる。実施形態では、ｇＮＢ１８０ａ、１８０ｂ、１８０ｃは、キャリアアグリゲーション技術を実施することができる。例えば、ｇＮＢ１８０ａは、ＷＴＲＵ１０２ａ（図示せず）に複数のコンポーネントキャリアを送信することができる。これらのコンポーネントキャリアのサブセットは、未認可スペクトル上のものとすることができるが、残りのコンポーネントキャリアは、認可スペクトル上のものとすることができる。実施形態では、ｇＮＢ１８０ａ、１８０ｂ、１８０ｃは、複数基地局間協調送信（ＣｏＭＰ：Ｃｏｏｒｄｉｎａｔｅｄ  Ｍｕｌｔｉ−Ｐｏｉｎｔ）技術を実施することができる。例えば、ＷＴＲＵ１０２ａは、ｇＮＢ１８０ａおよびｇＮＢ１８０ｂ（および／またはｇＮＢ１８０ｃ）からの協調された送信を受信することができる。
【００５８】
ＷＴＲＵ１０２ａ、１０２ｂ、１０２ｃは、スケーラブルなニューメロロジに関連付けられた送信を用いて、ｇＮＢ１８０ａ、１８０ｂ、１８０ｃと通信することができる。例えば、ＯＦＤＭシンボルスペーシング、および／またはＯＦＤＭサブキャリアスペーシングは、異なる送信、異なるセル、および／または無線送信スペクトルの異なる部分に対して変化することができる。ＷＴＲＵ１０２ａ、１０２ｂ、１０２ｃは、様々な、もしくはスケーラブルな長さのサブフレーム、または送信時間間隔（ＴＴＩ）（例えば、様々な数のＯＦＤＭシンボルを含む、および／または様々な長さの絶対時間が続く）を用いて、ｇＮＢ１８０ａ、１８０ｂ、１８０ｃと通信することができる。
【００５９】
ｇＮＢ１８０ａ、１８０ｂ、１８０ｃは、スタンドアロン構成で、かつ／または非スタンドアロン構成で、ＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（例えば、ｅＮｏｄｅＢ１６０ａ、１６０ｂ、１６０ｃなど）にさらにアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカーポイントとして、ｇＮＢ１８０ａ、１８０ｂ、１８０ｃのうちの１つまたは複数のものを利用することができる。スタンドアロン構成では、ＷＴＲＵ１０２ａ、１０２ｂ、１０２ｃは、未認可帯域における信号を用いてｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅＢ１６０ａ、１６０ｂ、１６０ｃなどの別のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃは、ＤＣ原理を実施して、実質的に同時に、１つまたは複数のｇＮＢ１８０ａ、１８０ｂ、１８０ｃ、および１つまたは複数のｅＮｏｄｅＢ１６０ａ、１６０ｂ、１６０ｃと通信することができる。非スタンドアロン構成では、ｅＮｏｄｅＢ１６０ａ、１６０ｂ、１６０ｃは、ＷＴＲＵ１０２ａ、１０２ｂ、１０２ｃに対するモビリティアンカーとして働くことができ、またｇＮＢ１８０ａ、１８０ｂ、１８０ｃは、ＷＴＲＵ１０２ａ、１０２ｂ、１０２ｃをサービスするためにさらなる到達範囲および／またはスループットを提供することができる。
【００６０】
ｇＮＢ１８０ａ、１８０ｂ、１８０ｃのそれぞれは、特定のセル（図示せず）に関連付けることができ、また無線リソース管理決定、ハンドオーバ決定、ＵＬおよび／またはＤＬにおけるユーザのスケジューリング、ネットワークスライシングのサポート、デュアル接続、ＮＲとＥ−ＵＴＲＡとの間の相互接続、ユーザプレーン機能（ＵＰＦ）１８４ａ、１８４ｂに向けたユーザプレーンデータの経路指定、アクセスおよびモビリティ管理機能（ＡＭＦ）１８２ａ、１８２ｂに向けた制御プレーン情報の経路指定、および同様のものを処理するように構成され得る。図１Ｄで示されるように、ｇＮＢ１８０ａ、１８０ｂ、１８０ｃは、Ｘｎインターフェースを介して互いに通信することができる。
【００６１】
図１Ｄで示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、およびおそらくデータネットワーク（ＤＮ）１８５ａ、１８５ｂを含むことができる。前述の要素のそれぞれは、ＣＮ１１５の一部として示されているが、これらの要素のいずれも、ＣＮ運営者以外のエンティティにより所有され、かつ／または運営され得ることが理解されよう。
【００６２】
ＡＭＦ１８２ａ、１８２ｂは、Ｎ２インターフェースを介して、ＲＡＮ１１３におけるｇＮＢ１８０ａ、１８０ｂ、１８０ｃのうちの１つまたは複数のものに接続され、かつ制御ノードとして働くことができる。例えば、ＡＭＦ１８２ａ、１８２ｂは、ＷＴＲＵ１０２ａ、１０２ｂ、１０２ｃのユーザを認証すること、ネットワークスライシングをサポートすること（例えば、様々な要件を有する様々なＰＤＵセッションを処理すること）、特定のＳＭＦ１８３ａ、１８３ｂを選択すること、登録エリアの管理、ＮＡＳシグナリングの終了、モビリティ管理、および同様のものを扱うことができる。ネットワークスライシングは、ＷＴＲＵ１０２ａ、１０２ｂ、１０２ｃで利用されるサービスのタイプに基づいて、ＷＴＲＵ１０２ａ、１０２ｂ、１０２ｃに対するＣＮポートをカスタマイズするために、ＡＭＦ１８２ａ、１８２ｂによって使用され得る。例えば、様々なネットワークスライスが、超高信頼低遅延（ＵＲＬＬＣ）アクセスを利用するサービス、拡張大容量モバイルブロードバンド（ｅＭＢＢ）アクセスを利用するサービス、マシンタイプ通信（ＭＴＣ）アクセスに対するサービス、および／または同様のものなど、様々な使用例に対して確立され得る。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術など他の無線技術を使用する他のＲＡＮ（図示せず）との間を切り換えるための制御プレーン機能を提供することができる。
【００６３】
ＳＭＦ１８３ａ、１８３ｂは、Ｎ１１インターフェースを介して、ＣＮ１１５におけるＡＭＦ１８２ａ、１８２ｂに接続され得る。ＳＭＦ１８３ａ、１８３ｂはまた、Ｎ４インターフェースを介して、ＣＮ１１５におけるＵＰＦ１８４ａ、１８４ｂに接続され得る。ＳＭＦ１８３ａ、１８３ｂは、ＵＰＦ１８４ａ、１８４ｂを選択し、制御することができ、またＵＰＦ１８４ａ、１８４ｂを通るトラフィックの経路指定を構成することができる。ＳＭＦ１８３ａ、１８３ｂは、ＵＥのＩＰアドレスを管理し、割り振ること、ＰＤＵセッションを管理すること、ポリシ施行およびＱｏＳを制御すること、ダウンリンクデータ通知を提供すること、および同様のものなど、他の機能を実施することができる。ＰＤＵセッションタイプは、ＩＰベース、非ＩＰベース、イーサネットベース、および同様のものとすることができる。
【００６４】
ＵＰＦ１８４ａ、１８４ｂは、Ｎ３インターフェースを介してＲＡＮ１１３におけるｇＮＢ１８０ａ、１８０ｂ、１８０ｃのうちの１つまたは複数のものに接続され得るが、それは、ＷＴＲＵ１０２ａ、１０２ｂ、１０２ｃに、インターネット１１０などのパケット交換網へのアクセスを提供して、ＷＴＲＵ１０２ａ、１０２ｂ、１０２ｃとＩＰ使用可能デバイスとの間の通信を容易にすることができる。ＵＰＦ１８４、１８４ｂは、パケットを経路指定し、かつ転送すること、ユーザプレーンポリシを施行すること、マルチホームＰＤＵセッションをサポートすること、ユーザプレーンＱｏＳを処理すること、ダウンリンクパケットをバッファすること、モビリティアンカリングを提供すること、および同様のものなど、他の機能を実施することができる。
【００６５】
ＣＮ１１５は、他のネットワークとの通信を容易にすることができる。例えば、ＣＮ１１５は、ＣＮ１１５とＰＳＴＮ１０８との間のインターフェースとして働くＩＰゲートウェイ（例えば、ＩＰマルチメディアサブシステム（ＩＭＳ）サーバ）を含む、またはそれと通信することができる。さらに、ＣＮ１１５は、他のサービスプロバイダにより所有され、かつ／または運営される他の有線および／または無線ネットワークを含むことのできる他のネットワーク１１２へのアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インターフェースにより、またＵＰＦ１８４ａ、１８４ｂとＤＮ１８５ａ、１８５ｂとの間のＮ６インターフェースにより、ＵＰＦ１８４ａ、１８４ｂを介してローカルデータネットワーク（ＤＮ）１８５ａ、１８５ｂに接続され得る。
【００６６】
図１Ａ〜図１Ｄの図、および図１Ａ〜図１Ｄの対応する記述において、ＷＴＲＵ１０２ａ〜ｄ、基地局１１４ａ〜ｂ、ｅＮｏｄｅＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で述べられる任意の他のデバイスのうちの１つまたは複数のものに関して本明細書で述べられる機能のうちの１つまたは複数のもの、またはすべては、１つまたは複数のエミュレーションデバイス（図示せず）によって実施され得る。エミュレーションデバイスは、本明細書で述べられる機能のうちの１つまたは複数のもの、またはすべてをエミュレートするように構成された１つまたは複数のデバイスとすることができる。例えば、エミュレーションデバイスは、他のデバイスを試験するために、ならびに／またはネットワークおよび／またはＷＴＲＵ機能をシミュレートするために使用され得る。
【００６７】
エミュレーションデバイスは、実験室環境で、かつ／または運営者ネットワーク環境で他のデバイスの１つまたは複数の試験を実施するように設計され得る。例えば、１つまたは複数のエミュレーションデバイスは、１つまたは複数の、またはすべての機能を実施できるが、通信ネットワーク内の他のデバイスを試験するために、有線および／または無線通信ネットワークの一部として、完全に、または部分的に実施される、かつ／または展開される。１つまたは複数のエミュレーションデバイスは、１つまたは複数の、またはすべての機能を実施できるが、有線および／または無線通信ネットワークの一部として一時的に実施／または展開される。エミュレーションデバイスは、試験を行うために別のデバイスに直接結合され得る、かつ／または空中を介する無線通信を用いて試験を行うことができる。
【００６８】
１つまたは複数のエミュレーションデバイスは、１つまたは複数の、すべても含む機能を実施することができるが、有線および／または無線通信ネットワークの一部としては実施／展開されない。例えば、エミュレーションデバイスは、１つまたは複数の構成要素の試験を実施するために、試験用実験室、および／または展開されない（例えば、試験用の）有線および／または無線通信ネットワークにおける試験シナリオで利用され得る。１つまたは複数のエミュレーションデバイスは、試験装置とすることができる。データを送信および／または受信するために、直接ＲＦ結合、および／またはＲＦ回路（例えば、１つまたは複数のアンテナを含むことができる）を介する無線通信が、エミュレーションデバイスによって使用され得る。
【００６９】
本明細書で開示される１つまたは複数の特徴は、図１Ａ〜図１Ｄで述べられたデバイス、方法、および／またはシステムのうちの１つまたは複数のものを用いて実施され得る。
【００７０】
制御情報および／またはデータを符号化するために、例えば、ターボ符号化および低密度パリティ検査（ＬＤＰＣ）符号化などの符号化スキームに加えて、ポーラ符号化が使用され得る。ポーラ符号は、例えば、ターボ符号およびＬＤＰＣ符号などの他のチャネル符号化スキームと比較して、符号化および復号ならびに符号構成において、独特の特徴を提供することができる。
【００７１】
ポーラ符号は、例えば、式１により表され得る。
【００７２】
【数１】
2020511027.tif 000003
【００７３】
ただし、
【００７４】
【数２】
2020511027.tif 000004
【００７５】
は、入力ブロックのベクトルとすることができ、また
【００７６】
【数３】
2020511027.tif 000005
【００７７】
は、出力符号ブロックのベクトルとすることができる。２つのベクトルは、同じ長さのＮ（例えば、０からＮ−１、Ｎ＝２nのインデックス）を有することができる。入力ブロックにおける１つまたは複数のビットは、固定値（例えば、０）に設定され得る。固定値を有するビットの位置は、セットＡｃにより表現され得る。可変の２進値を有する情報ビットの位置は、セットＡにより示され得る。ＧNは、生成行列とすることができる。生成行列ＧNは、例えば、式２により表され得る。
【００７８】
【数４】
2020511027.tif 000006
【００７９】
ただし、ＢNは、ビット反転行列とすることができる。入力ベクトルをビット反転させる演算は、例えば、積演算により実施され得る。例えば、ビット「００１」に対してビット反転を用いると、ビットは、「１００」へと変換され得る。
【００８０】
【数５】
2020511027.tif 000007
【００８１】
は、Ｆのｎ番目のクロネッカー積とすることができる。Ｆは、例えば、式３により表され得る。
【００８２】
【数６】
2020511027.tif 000008
【００８３】
図２は、ポーラ符号の例を示している。例では、ポーラ符号は、エンコーダでビット反転を行わずに構成され得る。例えば、ＧNは、例えば、式４により表され得る生成行列とすることができる。
【００８４】
【数７】
2020511027.tif 000009
【００８５】
入力の順序は、例えば、ビット反転行列に含まれるものと比べて変更され得る。
【００８６】
例では、ポーラ符号に対するパラメータは、（Ν、Κ、Α）＝（８、５、｛３，４，５，６，７｝）とすることができる。５ビット、例えば、ｕ4、ｕ6、ｕ5、ｕ3、ｕ7は、入力ビットとすることができる。入力ビットシーケンスのインデックス順序は、例えば、｛３，４，５，６，７｝から｛６，１，５，３，７｝など、ビット反転演算により変わることができる。８ビット、例えば、ｘ0、ｘ1、・・・、ｘ7は、ポーラエンコーダから出力されたものを表すことができる。例えば、Ａ＝｛３，４，５，６，７｝であるため、ＡC＝｛０，１，２｝のビット位置は、固定値０を有することができる。この符号の符号化率はＲ＝５／８とすることができる。
【００８７】
固定値を有するセットＡCは、凍結ビットと呼ばれ得る。セットＡは、非凍結ビットまたは情報ビットと呼ばれ得る。ポーラ符号の符号構成は、凍結ビットの位置を決定することができる。例では、入力ビットのうちの最も信頼性の低いＮ−Ｋビットが、凍結ビットであるように選択され得る。
【００８８】
ポーラ符号構成は、１つまたは複数の手順を用いて実装され得る。例では、符号構成は、バタチャリヤ限界（Bhattacharyya bound）を用いて実施され得る。バタチャリヤ限界の符号構成は、例えば、他の符号構成の手順に対して簡単であり得る。バタチャリヤは、いくつかのチャネル状態に適用することはできない。バタチャリヤ限界の符号構成は、例えば、中間のサイズの（例えば、数千ビットの）Ｎに対して十分な性能を提供することができる。
【００８９】
図３は、ＧNの例示的な分解を示す。生成行列は、例えば、式５により表され得る。
【００９０】
【数８】
2020511027.tif 000010
【００９１】
ただし、例えば、
【００９２】
【数９】
2020511027.tif 000011
【００９３】
、
【００９４】
【数１０】
2020511027.tif 000012
【００９５】
、およびＮ＝２nであり、Ｉaは、ａ×ａの識別行列とすることができ、
【００９６】
【数１１】
2020511027.tif 000013
【００９７】
、
【００９８】
【数１２】
2020511027.tif 000014
【００９９】
であり、またＤNは、ベクトル（ａ0、ａ1、・・・、ａN-1）を、例えば、
【０１００】
【数１３】
2020511027.tif 000015
【０１０１】
へとマップできる置換行列とすることができる。
【０１０２】
ＧNは、ＧN1およびＧN2で表される形へと分解され得る。ＧN1およびＧN2は、Ｎよりも小さなブロックサイズＮ1およびＮ2を有するポーラ符号の生成行列とすることができる。ポーラ符号は、内符号および外符号による連結符号とすることができる。例えば、それらは、（１）内符号、例えば、長さＮ1のＮ2ポーラ符号、および（２）外符号、例えば、長さＮ2のＮ1線形ブロック符号と解釈され得る。例では、内符号および外符号は、同じ形の基本的なポーラ符号構造を有することができ、かつポーラ符号と同じタイプの復号手順により復号され得る。
【０１０３】
多段復号がポーラ符号に対して提供され得る。例えば、逐次除去（ＳＣ）復号と比較して、複雑さの低い復号手順が実施され得る。このような復号手順は、ポーラ符号における分解特性を利用することによって実施され得る。復号は、例えば、ポーラ符号が、内符号と外符号の連結であると見なされるとき、連結された符号を復号することに基づいて実施され得る。長さＮ2の外符号の復号は、例えば、長さＮ1の内符号を復号した後に実施され得る。図３で示されるように、Ｐiは、外符号
【０１０４】
【数１４】
2020511027.tif 000016
【０１０５】
のｉ番目のエンコーダとして定義され得る。Ｑjは、内符号
【０１０６】
【数１５】
2020511027.tif 000017
【０１０７】
のｊ番目のエンコーダとして定義され得る、ただし、ｊ＝０、１、・・・、Ｎ1−１、およびｊ＝０、１、・・・、Ｎ2−１である。
【０１０８】
図４は、多段復号の例を示す。図４で示されるように、４０２で、符号化ブロックＱjのそれぞれの最初の入力ビットの尤度または対数尤度が、復号され、かつ／または計算され得る。４０４で、Ｑjのそれぞれのｋ番目の入力ビットが、Ｐkを復号するための入力ビットとして使用され得る。
【０１０９】
図４でさらに示されるように、ｋ番目の段（例えば、ｋ＝０で開始する）に対して、０段からｋ−１段までの復号された入力ビットが、再符号化され得る。４０８で、再符号化は、４０２で、符号化ブロックＱjの最初の入力ビットの尤度または対数尤度が計算された後、かつ／またはＰ0の入力ビットが４０４で復号された後、実施され得る。４０６で、Ｐ0に属するビットのそれぞれが、復号されているかどうかの検査が実施され得る。再符号化されたビットは、ｋ番目の入力ビットを有するようにＱjから次の尤度または対数尤度を計算するために使用され得る。ｋ番目の段では、Ｐ0、・・・、Ｐk-1が復号され、再符号化されて、Ｑjの０〜（ｋ−１）番目の入力ビットに対して使用され得る。
【０１１０】
前の段からの再符号化ビットは、現在のｋ番目の入力ビットを有するように、Ｑj（ｊ＝０、１、・・・、Ｎ2−１）を復号する性能を向上させるために使用され得る。Ｑjに対する入力ビットの尤度確率もしくは対数尤度値は、復号手順により提供され得る（例えば、ＳＣ復号またはＭＬ復号（最尤復号）など）。前の段の復号されたビットは、誤りを有する可能性がある。誤りは、次の段の復号に影響を与える可能性があり、また誤りを伝播する可能性がある。前の段からの誤り伝搬は、例えば、早い段階での誤り性能を、後段の誤り性能よりもよくすることにより、阻止または低減され得る。
【０１１１】
統合ＳＣ復号が、ポーラ符号に提供され得る。例えば、ポーラ符号は、スペクトル効率の高い変調、およびマッパーとポーラエンコーダの間のビットインターリーバと組み合わせることができる。インターリーブされたポーラ符号化ビットのｍビットは、例えば、Ｍ＝２m−ａｒｙ変調が適用されたとき、チャネルへと送信される単一のシンボルにマップされ得る。ビットインターリーバのインターリーブする範囲は、例えば、性能を向上させるために、内側のポーラ符号の長さＮ1に制限され得る。Ｎ1は、変調次数ｍよりも大きいことも、大きくないこともあり得る。
【０１１２】
尤度確率または対数尤度値は、例えば、ポーラ復号の最初の段において、デマッパーから計算され得る（例えば、ビットごとに計算される）。デマッパーからビットごとに初期化された値を用いるＳＣ復号は、並列復号と呼ばれ得る。ポーラ符号の性能は、例えば、デマッパーユニットおよびデインターリーブユニットの組み合わされた演算を導入することにより、向上され得る。例えば、統合ＳＣ復号を採用することにより、符号化ビット間の相関の影響は、無視され得る。これは、加算性白色ガウス雑音（ＡＷＧＮ）チャネルにおいて性能向上を生ずる可能性がある。
【０１１３】
Ｎ1＝ｍである例では、Ｑjに対する内側符号化ビットの尤度確率は、例えば、各符号化ビットに対するビットごとの処理とは対照的に、単一のチャネルシンボルから復号される（例えば、直接復号される）、または計算され得る。並列復号の複雑さは、Ｏ（Ｎ・２m）＋Ｏ（ＮｌｏｇＮ）により示され得る。統合ＳＣ復号の複雑さは、
【０１１４】
【数１６】
2020511027.tif 000018
【０１１５】
によって示され得る。統合ＳＣ復号は、例えば、Ｎ1＝ｍの場合、低い複雑さを有することができる。
【０１１６】
図５は、パリティ検査（ＰＣ）ポーラ符号化の例を示す。図５で示されるように、ＰＣポーラ符号化においては、凍結されるサブチャネルのサブセットは、ＰＣ凍結サブチャネルとして選択され得る。ＰＣ機能が、サブチャネルに対して誤り訂正に使用され得る。例では（例えば、各パリティ検査サブチャネル位置で）、ＰＣ凍結サブチャネルに対するＰＣ機能に含まれる復号ビットは、リスト復号ツリー（list decoding tree）を除くことを助けることができる。例では、ＰＣ機能を満たす１つまたは複数の経路は残るが、残りのものは削除され得る。残りのものは、直ちに削除され得る。図５で示されるように、ＰＣ機能は、例えば、逐次除去ベースの復号器と矛盾しないように、前方に限って確立され得る。
【０１１７】
不均一誤り保護（ＵＥＰ）が、無線通信システムで適用され得る。例は、物理アップリンク共有チャネル（ＰＵＳＣＨ）を介するアップリンク制御情報（ＵＣＩ）送信とすることができる。アップリンク制御情報（例えば、ＡＣＫ／ＮＡＣＫ、ランク指標（ＲＩ）、およびチャネル状態情報（ＣＳＩ）など）は、独立したチャネル符号化スキームを有する基地局に送信され得る。各ＵＣＩに対する誤り訂正の別個の割振りは（例えば、ＵＣＩタイプのそれぞれに対して同様の誤り保護を用いるのではなく）、限られたアップリンクリソースの効率を向上させることができる。
【０１１８】
例えば、新無線（ＮＲ）多元アクセス（ＭＡ）では、アップリンク情報を基地局に送信するために、自律的な／許可不要の／競合が使用され得る。アップリンク送信に関連する制御情報は、例えば、ＵＣＩおよび／またはユーザ識別情報（例えば、ユーザの差別化のために）を含むことができる。ダウンリンク送信に関連する制御情報は、例えば、ＡＣＫ／ＮＡＣＫ情報を含むことができる。
【０１１９】
不均一誤り保護は、例えば、各情報カテゴリに対して、別個の符号化スキームを用いることに基づくことができる。情報ビットのタイプは、制御情報およびデータを含むことができる。制御情報およびデータは連結され得る。不均一誤り機能は、単一の符号化手法によって、各情報タイプに対して課すことができる。このようなエラー機能を課すことは、埋め込まれた不均一誤り保護と呼ばれ得る。
【０１２０】
埋め込まれた不均一誤り保護は、１つまたは複数の利益を提供することができる。制御情報のための専用の、または追加のエンコーダおよび復号器は不必要になり得る。基地局およびユーザ装置における実装が改善される、または簡単化され得る。埋め込まれた不均一誤り保護は、例えば、ブロックサイズを増加することにより、性能を向上させることができる。制御情報の別個の符号化に対するブロック長は、埋め込まれた不均一誤り保護に対するブロック長よりも小さくすることができる。いくつかの符号化スキーム（例えば、ターボ符号、ポーラ符号、ＬＤＰＣ符号、および他の符号）は、大きなブロックサイズに対して、向上された性能を提供することができる。埋め込まれた不均一誤り保護を用いる制御情報送信は、例えば、大きな制御情報ビットブロックに対して、性能と複雑さの間の良好なトレードオフを提供することができる。
【０１２１】
多段ＤＣＩ（例えば、２段ＤＣＩ）は、ダウンリンク制御情報をＷＴＲＵに信号送りするために提供され得る。タイムクリティカルな制御情報は、タイムクリティカルでない可能性のある制御情報よりも速やかに送達されることが必要なり得る。タイムクリティカルな制御情報は、第１のＤＣＩを用いて送達され、クリティカルでない制御情報は、第２のＤＣＩを用いて搬送され得る。２段のＤＣＩが、例えば、第２のＤＣＩが構成可能であるように構成され得る。例では、第２のＤＣＩは、単一のＤＣＩに利用可能なリソースが十分ではない可能性のあるとき、例えば、ＤＣＩの残りの部分を送信するために、リソースのさらなる割振りが提供され得るように構成され得る。
【０１２２】
ダウンリンク制御情報コンテンツは、２段ＤＣＩ用に分割され得る。例では、ＤＣＩ全体が、２段ＤＣＩへと分割され得る。例えば、タイムクリティカルなＤＣＩ、およびタイムクリティカルでないＤＣＩがあり得る。タイムクリティカルでないＤＣＩコンテンツは、例えば、新規データ指示（ＮＤＩ）と、冗長バージョン（ＲＶ）と、変調および符号化スキーム（ＭＣＳ：modulation and coding scheme）とを含むことができる。ＵＣＩは、例えば、第１のＤＣＩまたは第２のＤＣＩに含まれ得る。ＵＣＩに関連する制御情報は、例えば、リソース割振り、および／またはＡＣＫ／ＮＡＣＫのタイミングを含むことができる。プリコーディング制御情報は、第１のＤＣＩまたは第２のＤＣＩで提供され得る。プリコーディング制御情報は、例えば、広帯域プリコーディング情報、および／またはサブバンドプリコーディング情報を含むことができる。ダウンリンク制御チャネルの性能は、例えば、ポーラ符号の分解に基づいて向上され得る。
【０１２３】
符号化ビット（例えば、チャネル符号化の後）は、符号化率を、チャネル状態に、かつ／または所定のサイズに適合させるようにレートマッチされ得る。レートマッチングアルゴリズムは、反復を含むことができる。例えば、符号化ビットの一部は、符号化率を低減するために、または符号化ブロックサイズを増加するために反復され得る。低い符号化率は、固定されたマザー符号化率（例えば、ターボ符号、もしくはテイルバイティング畳込み符号（ＴＢＣＣ）などのチャネル符号において）に対する反復により取得され得る。
【０１２４】
ポーラ符号化では、マザー符号化率は、他のチャネル符号におけるように使用されない可能性がある。ポーラ符号化では、レートマッチングは、例えば、最終的なサイズよりも大きいブロックサイズ（Ｎ）が想定され得る場合、パンクチャリングによって、入力ビットのサイズ（Ｋ）または符号化ビットのサイズを変えることにより実施され得る。Ｎの最大値は、例えば、システムにおける許容可能な限度に、かつ／または符号化率ドメインにおける実際の使用範囲を考慮することに基づいて固定され得る。最大値Ｎよりも大きいブロックサイズに対して反復が使用され得る。ポーラ符号は、符号化および復号に対して特有の構造を有することができる。他のチャネル符号で使用される反復のパターンの使用は、最適な性能を提供しない可能性がある。ポーラ符号化の特性を用いて改良された設計が提供され得る。
【０１２５】
制御情報の不均一な保護が提供され得る。不均一な保護は、例えば、マルチレベル分解によって提供され得る。図６は、２つのセットの場合の不均一な保護の例を示す。図６で、信頼性ランク関数ｒ（ｉ）が、符号構成後、ｒ（ｉ）、ｉ＝０、１、・・・、Ｎ−１として定義され得る。信頼性ランク関数ｒ（ｉ）は、ｉ番目の入力ビットの信頼性ランクを示すことができる。ｒ（１０）＝２６、およびＮ＝１２８である例では、１２８入力ビットの中で、１１番目のビットは、２７番目の最も信頼性のあるビットとすることができる。ｒ（ｉ）の逆関数は、ｐ（ｊ）と示され得る。逆関数ｐ（ｊ）は、（例えば、各）信頼性ランクに対する入力インデックスを示すことができる。逆関数ｐ（ｊ）は、信頼性によって分類され得る入力インデックスを示すことができる。凍結ビットの選択は、例えば、０≦ｊ＜Ｎ−Ｋである入力インデックスｐ（ｊ）を有するビットを選択することによって実施され得る。最も信頼性の低いＮ−Ｋビットは、凍結ビットとすることができる。例えば、Ｎ−Ｋ≦ｊ＜Ｎである入力ビットインデックスｐ（ｊ）を有する残りの（例えば、最も信頼性のある）Ｋビットは、非凍結ビットとすることができる。非凍結ビットは、入力情報ビットに割り振られ得る。
【０１２６】
ポーラ符号を用いる不均一な保護は、例えば、ポーラエンコーダの入力ビット全体をいくつかのセットに分割することによって達成され得る。サブセットのそれぞれに対する復号演算（例えば、ポーラ復号器で）が実施され得る。復号演算は、セットごとに実施され得る。入力ビットは、本明細書で述べられる手法の１つまたは複数のものを用いて分割され得る。
【０１２７】
例では、入力ビットは、漸進的な入力インデックスに基づいて分割され得る。例えば、ＵＥＰレベルのＶセットに対して、入力インデックス０〜Ｎ−１は、
【０１２８】
【数１７】
2020511027.tif 000019
【０１２９】
など、Ｖセットへと分割され得る。ｖ番目のセットに対する要素の数は、Ｎvとすることができる。例では、例えば、セットのそれぞれが、等しい要素を有する場合、Ｔ0＝・・・＝ＴV-1＝Ｎ／Ｖである。
【０１３０】
例では、入力ビットは、漸進的な信頼性ランクに基づいて分割され得る。この例では、様々なセットは、入力インデックスに変えて、信頼性ドメインに基づいて形成され得る。この場合のポーラ符号の入力ビットは、
【０１３１】
【数１８】
2020511027.tif 000020
【０１３２】
と分割され得る。
【０１３３】
例では、入力ビットは、非漸進的な手法に基づいて分割され得る。インデックスドメインおよび信頼性ランクドメインに対して、オフセットを用いてあらゆるＶ番目の要素が選択されて、セットを構成することができる。例では、Ｖ−２の場合、偶数の入力インデックスが１つのセットを含み、奇数の入力インデックスが、別のセットを含むことができる。例えば、偶数のインデックスセットは、ゼロオフセットを有することができ、また奇数インデックスセットは、１のオフセット値を有することができる。
【０１３４】
例では、ｐv（ｊ）が、各セットに対して定義され得る。ｐv（ｊ）は、ｖ番目のセット内におけるｊ番目の信頼性のあるビットの位置を示すことができる。例えば、Ｔv−Ｋvビットを選択することにより、凍結ビットが決定され得る。ＲV＝Ｋv／Ｔvは、ｖ番目のセットに対する有効な符号化率として定義され得る。不均一保護のレベルは、例えば、有効な符号化率を変えることにより制御され得る。低い有効符号化率は、高い有効符号化率に対する誤り保護の機能と比較して、誤り保護の高い機能を有することができる。
【０１３５】
図６は、漸進的な入力インデックスベースのセット構成が使用される場合、Ｖ＝２を有するＵＥＰの例を示す。本明細書で述べるように、例えば、漸進的な入力インデックスセット構成を用いるとき、セットのそれぞれに対する凍結ビットを決定するために、様々な手法が使用され得る。
【０１３６】
ＵＥＰを考慮しない第１の手法では、例えば、凍結ビットは、入力ビット全体の信頼性に基づいて選択され得る。例えば、最も信頼性の低いＮ−Ｋビットが、凍結ビットとして選択され得る。各セットに対して凍結ビットが決定され得る。例えば、ＵＥＰを考慮することなく、全体の信頼性に基づいて凍結ビットが選択された後、各セットの凍結ビットが決定され得る。Ｋvは、ｖ番目のセットに対して一定の値に設定され得る。ｖ番目のセットの符号化率は、Ｒv＝Ｋv／Ｔvと決定され得る。例では、符号化率は、任意に調整されることはできない。符号化率は、入力ビットに対する符号構成、およびその信頼性の構成に依存し得る。Ｔvの値は、例えば、パンクチャリングの後、変化され得る。Ｔvの値は、Ｋvビットが達成されるまでの凍結ビットおよび非凍結ビットの合計として定義され得る。
【０１３７】
第２の手法では、例えば、各セットに対して、最も信頼性の低いＴv−Ｋvが、凍結ビットとして選択され得る。符号化率は、任意に調整され得る。本明細書で述べられた２つの手法は、共に実施され得る。例えば、第２の手法は、第１の手法の後、または前に適用され得る。
【０１３８】
ポーラ符号をパンクチャする場合、凍結ビットを決定するのに使用される第１の手法は、本明細書で述べるように利益を提供することができる。ポーラ符号をパンクチャするために、様々なパンクチャリングアルゴリズムが使用され得る。例では、ポーラ符号に対する入力ビットの信頼性は、パンクチャリングの後に変更され得る。ポーラ符号は、使用されるパンクチャリングアルゴリズムにかかわらず、変わり得る。信頼性の変化、および凍結ビットの対応する変化は、符号化率、Ｒv＝Ｋv／Ｎvに影響を与える可能性がある。例では、セットのそれぞれの符号化率は、第１の手法に対して調整され得る。Ｎvを選択するためのアルゴリズムが、例えば、第２の手法に対して実施され得る。第２の手法は、パンクチャリングの後に、より最適化された精密な制御を提供することができる。
【０１３９】
Ｔv＝Ｎ2を有する例では、ポーラ符号における分解の構造が、ＵＥＰと組み合わされ得る。サイズＮ2を有する各入力ビットブロックに対して、独立した符号構成が構成され、各ブロックの符号化率が調整され得る。
【０１４０】
図７は、ＵＥＰのＢＬＥＲ性能を示す。様々な実装形態に対するＵＥＰ性能の例が図７で示される。例は、漸進的な入力インデックスベースのセット構成、および第１の例示的な手法に基づく符号化率に基づいている。表１は、図７で示す例に対するシミュレーション条件を提供する。
【０１４１】
【表１】
2020511027.tif 000021
【０１４２】
例では（例えば、ＵＥＰを含まない）、第１のセット｛０，・・・，５１１｝における有効な符号化率は、１２９／５１２（Ｋ1＝１２９、Ｔ1＝５１２）とすることができ、それは、例えば、バタチャリヤモデリングを用いる符号構成の結果から導出され得る。第２のセット｛５１２，・・・，１０２３｝における有効な符号化率は、３８３／５１２（Ｋ2＝３８３、Ｔ2＝５１２）として導出され得る。不均一ＢＬＥＲ性能は、第１のセットと第２のセットの間に存在することができる。不均一な性能は、ビットの信頼性が、ビットインデックスが増加するにつれて増加できるようにするポーラ符号設計により、第１のセットと第２のセットの間に存在することができ、また少数の信頼性のあるビットは、第１のセットの閾値を満たすことができる。例では、有効な符号化率は、（Ｋ1＝１１４、Ｔ1＝５１２、およびＫ2＝３９８、Ｔ2＝５１２）または（Ｋ1＝８４、Ｔ1＝５１２、およびＫ2＝４２８、Ｔ2＝５１２）などのパラメータに設定され得る（例えば、ＵＥＰ手順に基づいて）。不均一な誤り機能は、符号化率全体を一定に（例えば、１／２に）保ちながら制御され得る。
【０１４３】
制御情報は、データと多重化され得る。例えば、アップリンクデータパケットまたはアップリンクフレームが、例えば、ＡＣＫ／ＮＡＣＫ、またはＣＳＩもしくはＭＩＭＯ関連フィードバック情報を含む制御情報を含む場合、アップリンクデータパケットおよびアップリンク制御情報は多重化され得る。ＡＣＫ／ＡＮＣＫおよびＲＩは、例えば、他のフィードバック情報よりも高い信頼性を有する誤り保護が必要になり得る。ＡＣＫ／ＡＮＣＫおよびＲＩは、したがって、例えば、高い信頼性の誤り保護を有するポーラ符号化パケットまたはフレーム（例えば、入力ビットドメインにおける）の部分に配置され得るが、図２で示されたポーラ符号構造を有する高い信頼性の部分が使用される。
【０１４４】
図８は、ＵＥＰに対する情報ビット割振りの例である。図８（ａ）で示されるように、ＡＣＫ／ＮＡＣＫまたはＲＩに対応するビットは、ポーラ符号化パケットまたはフレームで強い保護部分に位置することができる。ＣＳＩは、例えば、ＣＳＩがＡＣＫ／ＮＡＣＫまたはＲＩよりも高いもしくは等しい信頼性を必要としない場合、データに隣接して配置され得る。
【０１４５】
図８（ｂ）で示されるように、ユーザ識別情報（例えば、無線ネットワーク一時識別子（ＲＮＴＩ））は、ＡＣＫ／ＮＡＣＫまたはＲＩなど、高い信頼性を備えた他の制御情報に隣接して位置することができる。この構成は、例えば、ユーザ識別情報のすべて、または一部が、データと共に搬送され得る場合に使用され得る。例えば、ＷＴＲＵ  ＩＤ（またはＲＮＴＩ）が、アップリンクデータに対して、許可不要のアップリンク送信に含まれる場合である。ＷＴＲＵ  ＩＤは、強い保護を有するポーラ符号化パケットもしくはフレームに部分的に含まれ得る。
【０１４６】
最初に復号されるポーラ符号の一部のＢＬＥＲ性能は、後で復号される部分よりも良好にすることができる。これは、最初の部分が復号されたとき、ジーニ情報（genie information）への依存が低いためであり得る。逐次除去（ＳＣ）復号は、例えば、前に（例えば、現在のビットを復号する前に）復号されたビットに対する値が、成功裏に復号されており、誤りがないものと仮定することができる。成功したと想定されるこれらの前に復号されたビットは、知られた事前情報、またはジーニ情報と見なされ得る。ポーラ符号化における第１の非凍結ビットは、例えば、ＳＣ復号を用いた最良の復号性能を有することができる。したがって、第１の非凍結ビットは、例えば、ＡＣＫ／ＮＡＣＫ情報など、高い信頼性で搬送されるべき情報に使用され得る。
【０１４７】
ダウンリンク多元接続（ＭＡ）の例では、アップリンクデータに対するＡＣＫ／ＮＡＣＫは、ダウンリンクデータ送信に含まれ得る。ポーラ符号化におけるダウンリンクＡＣＫ／ＮＡＣＫ情報は、入力情報ビットの第１の非凍結ビット（または開始部分）に位置することができる。
【０１４８】
ＷＴＲＵ  ＩＤは、ＤＣＩ符号化に対するポーラ符号凍結ビットに含まれる、または凍結ビットと共に使用され得る。ＰＤＣＣＨチャネルに対する巡回冗長検査（ＣＲＣ）パリティビットは、例えば、符号化のためにテイルバイティング畳込み符号（ＴＢＣＣ）を用いる間に、ＷＴＲＵ  ＩＤ（例えば、Ｃ−ＲＮＴＩ）を用いてスクランブルされ得る。ＷＴＲＵ  ＩＤの使用は、例えば、誤警報率（false alarm rate）を低減するために使用され得る。ＷＴＲＵ  ＩＤは、例えば、ＤＣＩを符号化または復号するためにポーラ符号化を用いる場合に使用され得る。
【０１４９】
例では、ＷＴＲＵ  ＩＤは、ポーラ符号の凍結セットに含まれる、またはそれと共に使用され得る。ポーラ符号の凍結セットのサブセットは、非ゼロの値を有することができる。エンコーダおよび復号器の両方に知られた１つまたは複数のビットが、凍結ビットとして使用され得る。例えば、ｅＮＢおよびＷＴＲＵに知られ得るＷＴＲＵ  ＩＤが、凍結ビットとして指定され得る。ＷＴＲＵ  ＩＤのすべて、または一部は、凍結ビットに含まれる、または凍結ビットとして使用され得る。ＷＴＲＵ  ＩＤを使用することは、例えば、ＷＴＲＵ  ＩＤのそれぞれが一意のものであり得るため、誤警報率を低減するために使用され得る。一意のＷＴＲＵ  ＩＤを用いると、ＤＣＩ情報は、関連するＷＴＲＵ  ＩＤまたは関連する凍結ビットを有するＷＴＲＵによって復号され得る。ＷＴＲＵ  ＩＤは、ポーラ符号の元の凍結ビットを用いてスクランブルされ得る。
【０１５０】
凍結ビットの一部としてＷＴＲＵ  ＩＤを含むスキームが、パリティ検査（ＰＣ）ポーラ符号化に適用され得る。ＰＣポーラ符号におけるＰＣ凍結ビットは、情報ビットから導出され得る。例えば、ＰＣポーラ符号は、ＷＴＲＵに関連付けられたＷＴＲＵ  ＩＤでマスクされ得る。元のＰＣ凍結ビットは、ＷＴＲＵ  ＩＤでＸＯＲ演算され得る。ＷＴＲＵ  ＩＤは、元のＰＣ凍結ビットをスクランブルするために使用され得る。ＷＴＲＵ  ＩＤは、例えば、ＷＴＲＵに関連付けられたＤＣＩメッセージの誤警報率を低減するために使用され得る。図９は、ＰＣポーラ符号により符号化されたＤＣＩの例である。図９で示されるように、ＰＣ凍結ビットは、ＷＴＲＵ  ＩＤとＸＯＲ演算され得る。
【０１５１】
いくつかのタイプのデータまたはトラフィックを搬送するために、ポーラエンコーダおよび／またはポーラ復号器に関連付けられた異なるビットチャネルが使用され得る。本明細書の様々な図で示されるように、いくつかのタイプのデータまたはトラフィックは、適切な信頼性レベルを備えるビットチャネルにマップされ得る。
【０１５２】
多段（例えば、２段など）ＤＣＩが実施され得る。例えば、２段ＤＣＩが、マルチレベル分解を用いて実施され得る。例では、例えば、
【０１５３】
【数１９】
2020511027.tif 000022
【０１５４】
であり、Ｎ2＝２のとき、分解が構成され得る。
【０１５５】
図１０は、ポーラ符号化される２段ＤＣＩの例示的な構造を示す。例では、ＰＣ１は、独立した符号構成を備えた独立したポーラエンコーダとすることができる。ＰＣ１は、例えば、ベースカーネル行列によりＰＣ０に関連付けられ得る。ＰＣ１は、ＰＣ０を考慮することなく、独立した復号を有することができる。ＰＣ０は、例えば、ＰＣ０との関連付けが、復号プロセスに含まれていない可能性のあるとき、独立した符号構成を有する独立したポーラエンコーダとすることができる。例では、ＰＣ１からの対数尤度（ＬＬ）値が、ＰＣ０を復号するために使用され得る。
【０１５６】
例では、第１のＤＣＩは、ＰＣ１によって符号化され、また第２のＤＣＩはＰＣ０によって符号化され得る。ＰＣ１における入力ビットの数は、Ｋ1とすることができ、それは、ＰＣ０における入力ビットＫ0の数とは異なることができる。ＰＣ１で符号化されたビット、例えば、ｃ1、ｃ3、・・・、ｃN-3、ｃN-1は、インターリーブされ、さらなるベースバンド処理のために、変調シンボルにマップされ得る。これは、第１の制御チャネルと呼ばれ得る。ＰＣ０ビット部分（ＰＣ０により符号化され、かつＸＯＲ演算によりＰＣ１と組み合わされたもの）、例えば、ｃ0、ｃ2、・・・、ｃN-4、ｃN-2は、インターリーブされ、さらなるベースバンド処理のために、変調シンボルにマップされ得る。これは、第２の制御チャネルと呼ばれ得る。例では、第１の制御チャネルおよび第２の制御チャネルは、別々のＤＣＩを搬送することができる。第１の制御チャネルは、第１のＤＣＩを搬送することができ、第２の制御チャネルは、第２のＤＣＩを搬送することができる。制御情報は、別々のかつ／または特有の時間／周波数／空間／ビームドメインで送信され、かつ受信され得る。様々なインデックス付け手順が使用され得る。例では、ビット反転行列が適用され得ない場合、ＰＣ１符号化ビットに対するインデックス付けは、
【０１５７】
【数２０】
2020511027.tif 000023
【０１５８】
として示すことができ、またＰＣ０部分ビットに対するインデックス付けは、
【０１５９】
【数２１】
2020511027.tif 000024
【０１６０】
として示すことができる。
【０１６１】
図１１は、多段ＤＣＩに対する多段復号の例を示す。図１１は、２段ＤＣＩに対する復号プロセスの例を示す。図１１で示されるように、１１０２で、ＷＴＲＵは、第１の制御チャネルに関連付けられた制御シンボルを受信することができる。１１０４で、ＷＴＲＵは、第１の制御チャネルに関連付けられた受信されたシンボルを復号して、第１のＤＣＩを取得することができる。１１０６で、ＷＴＲＵは、第１のＤＣＩに対する手順を処理しかつ／または実行することができる。１１０８で、復号された第１のＤＣＩは、再符号化され得る。１１１０で、第２の制御チャネルに関連付けられたチャネルシンボルを受信することができる。１１１２で、再符号化されたＰＣ１ビットは、第２の制御チャネルに対して受信されたシンボルからのＬＬと組み合わされ得る。１１１４で、ＰＣ０は復号されて第２のＤＣＩを復号することができる。１１１６で、第２のＤＣＩに関連する処理が、実施され得る。再符号化されたＰＣ１ビットおよびＰＣ０ビットの組合せは、完全な復号に対するＮ符号化ビットシンボルの完全なサイズを構成することができる。これは、第２のＤＣＩの復号における性能向上を提供することができる。第２のＤＣＩに対する復号は、例えば、再符号化および組合せが実施されない場合、半分のサイズＮ／２によって行われ得る。第１のＤＣＩに対する復号プロセス中に生ずるおそれのある誤り（例えば、チャネル障害に起因して）は、検出され得る。第２のＤＣＩに対する残りの復号プロセスは、例えば、第１のＤＣＩの復号において誤りが検出されたとき、進行しないことになり得る．第２のＤＣＩの完全な成功裏の復号は、例えば、完了したことが、第１のＤＣＩ復号に誤りがなかったことを示していることを考えると、正確さまたは向上した性能を示すことができる。
【０１６２】
図１１で示される２段ＤＣＩは、多段ＤＣＩへと拡張され得る。
【０１６３】
【数２２】
2020511027.tif 000025
【０１６４】
の例では、Ｎ1レベルのＤＣＩ、およびＮ1段の復号を含む手順があり得る。Ｎ1＞２のとき、複数の入力ビットブロック、および対応する出力ビットブロックが組み合わされ得る。例えば、Ｎ1＝４の場合、最初の３つの入力ブロックは、組み合わされて、第２段のＤＣＩに使用され、また最後のブロックは、第１段のＤＣＩに使用され得る。これは、異なる符号化ブロック長を有する２段ＤＣＩに対する別の構成例とすることができる。例では、最後の３つのブロックが組み合わされて、第１のＤＣＩに使用され、また最初のブロックが、第２段のＤＣＩに使用され得る。
【０１６５】
多段ＤＣＩ（例えば、２段ＤＣＩ）が、誤警報率を低減するために使用され得る。例えば、２段ＤＣＩでは、ＤＣＩのそれぞれは、別々に符号化され得る。複数のＤＣＩは、順次復号され得る。第１のＤＣＩの復号は、例えば、ブラインド検出および限られた数のＣＲＣビットに起因して、誤警報を受ける可能性がある。ＣＲＣ検査を通過し得る誤った第１のＤＣＩが復号される可能性がある。第１のＤＣＩの誤った復号は、ダウンリンク制御情報を復号するのに失敗して、データを受信／送信するのに失敗する可能性がある。
【０１６６】
例えば、第２のＤＣＩを符号化するとき、第１のＤＣＩに対する誤り検出の第２のレベルが展開され得る。誤り検出の第２のレベルは、第１のＤＣＩの誤警報率を低減するために使用され得る。例では、例えば、第２のＤＣＩを符号化するためにポーラ符号を使用するとき、第１のＤＣＩの一部またはすべては、凍結ビットの一部とすることができる。
【０１６７】
図１２は、ポーラ符号化される２段ＤＣＩに対する例示的なエンコーダの構造を示し、第１のＤＣＩのいくつか、またはすべてが、例えば、ＷＴＲＵの復号器で受信するために、第２のＤＣＩの符号化において凍結ビットとして使用される。図１２で示されるように、第１のＤＣＩに対応する情報ビットは、例えば、ＷＴＲＵの復号器で受信するために、ポーラ符号化され得る。第１のＤＣＩに対応する情報ビットは、第２のＤＣＩに対応する情報ビットを符号化するための凍結ビットとして使用され得る。図１２で示されるように、第２のＤＣＩは、第２のＤＣＩをポーラ符号化するために使用される凍結ビットの一部として埋め込まれた第１のＤＣＩに対応する情報を用いてポーラ符号化され得る。例えば、ポーラ符号化において、凍結ビットは、ビットの一定なセットとすることができる。凍結ビットのそれぞれは、例えば、ゼロなどの一定値のものであり得る。凍結ビットは、エンコーダおよび復号器に知られているはずである。図１２で示されるように、第１のＤＣＩに対応する情報を含む凍結セットは、第２のＤＣＩをマップするために使用されるビットチャネルよりも低い信頼性を有するビットチャネルにマップされ得る。
【０１６８】
ＷＴＲＵは、ポーラ符号化された第１のＤＣＩを受信することができる。ＷＴＲＵは、ポーラ符号化された第１のＤＣＩを復号することができる。ＷＴＲＵは、ポーラ符号化された第２のＤＣＩを受信することができる。第１のＤＣＩまたは第２のＤＣＩは、グループＤＣＩとすることができる。第２のＤＣＩに関連付けられたポーラ符号化された送信は、凍結セットの一部とすることができる埋め込まれた第１のＤＣＩを含むことができる。ポーラ符号化された第２のＤＣＩは、高い信頼性を備えた複数のビットチャネルにより受信され得る。埋め込まれた第１のＤＣＩは、低い信頼性を備えた複数のビットチャネルにより受信され得る。ＷＴＲＵは、復号された第１のＤＣＩを凍結ビットの一部として用いて、ポーラ符号化された第２のＤＣＩを復号することができる。例えば、ＷＴＲＵは、逐次除去（ＳＣ）復号、多段復号、または統合ＳＣ復号のうちの少なくとも１つを用いて、第１のＤＣＩまたは第２のＤＣＩを復号することができる。多段復号、および統合ＳＣ復号機構が、本明細書で述べられる。
【０１６９】
第２のＤＣＩを符号化している間に、エンコーダにおいて第１のＤＣＩを凍結セットに挿入することは、例えば、第１のＤＣＩが正しく復号されているとき、復号器における第２のＤＣＩの復号に影響しないはずであり、それは、その場合、第１のＤＣＩが、エンコーダと復号器で共に知られているからである。第１のＤＣＩを凍結ビットとして使用して第２のＤＣＩを復号することは、例えば、第１のＤＣＩが正しく復号されていない場合、成功しない可能性がある。例えば、ＷＴＲＵが第１のＤＣＩを知っていると仮定すると、ＷＴＲＵは、第１のＤＣＩの復号誤りを検出することができる。ＷＴＲＵは、第２のＤＣＩの誤った復号が検出された場合、第１のＤＣＩと第２のＤＣＩを共に廃棄することができる。ＷＴＲＵは、ＷＴＲＵが第２のＤＣＩの復号を正しく検出した場合、第１のＤＣＩと第２のＤＣＩの両方を保持することができる。
【０１７０】
第２のＤＣＩの符号化において、例えば、ＷＴＲＵ  ＩＤ（例えば、セル無線ネットワーク一時識別子（Ｃ−ＲＮＴＩ））、またはグループＩＤを適用することによって、第１のＤＣＩの誤警報率は低減され得る。例えば、ＷＴＲＵ  ＩＤのすべてもしくは一部と、第１のＤＣＩのすべてもしくは一部のＸＯＲが、第２のＤＣＩを符号化する間に、凍結ビットとして使用され得る。
【０１７１】
図１３は、ポーラ符号化される２段ＤＣＩに対する例示的なエンコーダの構造を示しており、第１のＤＣＩがＷＴＲＵ  ＩＤとＸＯＲ演算され、またＸＯＲ演算されたビットのすべてまたはいくつかが、第２のＤＣＩの符号化において、凍結ビットをして使用され得る。図１３で示されるように、ＷＴＲＵ  ＩＤとＸＯＲ演算されたＤＣＩは、第２のＤＣＩをポーラ符号化するために使用される凍結セットの一部として埋め込まれ得る。ＸＯＲ演算は、例えば、スクランブル演算など、別の演算で置き換えられ得る。
【０１７２】
パリティ検査（ＰＣ）ポーラ符号は、第１のＤＣＩを符号化するために使用され得る。ＰＣポーラ符号を用いる場合、ＷＴＲＵ  ＩＤは、本明細書の図９で示されるように、ＰＣ凍結ビットをスクランブルするために使用され得る。ＰＣポーラ符号は、第２のＤＣＩを符号化するために使用され得る。第１のＤＣＩは、第２のＤＣＩをポーラ符号化するために使用され得るＰＣ凍結の一部として埋め込まれ得る。第１のＤＣＩは、例えば、図１４で示されるように、第２のＤＣＩを符号化するためにＰＣ凍結ビットをスクランブルするのに使用され得る。
【０１７３】
図１４は、ＰＣポーラ符号化される２段ＤＣＩに対する例示的なエンコーダの構造を示しており、第２のＤＣＩは、第１のＤＣＩとＸＯＲ演算されたＰＣ凍結ビットを用いてＰＣポーラ符号により符号化され得る。ＷＴＲＵ  ＩＤは、ＰＣ凍結ビットをＸＯＲ演算するために、第１のＤＣＩと共に使用され得る。ＷＴＲＵ  ＩＤのすべて、または一部は、例えば、ＰＣ凍結ビットとのＸＯＲ演算を行うとき、第１のＤＣＩのすべて、または一部と連結され得る。例では、図１４で示されるように、ＷＴＲＵ  ＩＤのすべて、または一部は、第１のＤＣＩのすべて、または一部とＸＯＲ演算され、それは、ＰＣ凍結ビットとＸＯＲ演算され得る。例では、第２のＤＣＩを符号化するとき、ＷＴＲＵ  ＩＤのすべて、もしくは一部、または第１のＤＣＩ情報のすべて、もしくは一部に加えて、またはそれに代えて、第１のＤＣＩに対するＣＲＣビットが使用され得る。図１４で示されるように、ＰＣ凍結ビットとＸＯＲ演算された第１のＤＣＩは、第２のグループＤＣＩがマップされ得るビットチャネルよりも信頼性の低いビットチャネルにマップされ得る。
【０１７４】
多段（例えば、２段）グループベースのＤＣＩが提供され得る。グループ設定において、ＰＤＣＣＨのそれぞれは、ＣＲＣ（例えば、１６ビットＣＲＣ）により保護され得るＤＣＩを搬送することができる。ＤＣＩのそれぞれは、例えば、複数のＷＴＲＵが、単一のＴＴＩにおいてスケジュールされたとき、ＣＲＣオーバヘッドを生成する別個のＰＤＣＣＨで送信され得る。ポーラ符号は、新無線（ＮＲ）においては、ＤＬ制御チャネルを符号化／復号するために使用され得る。ＮＲ  ＤＬ制御チャネルは、ＮＲ−ＰＤＣＣＨまたはＮＲ−ｅＰＤＣＣＨとすることができる。グループベースのＤＣＩは、単一のＣＲＣによって保護され得る複数のＤＣＩを共にグループ化することができる。単一のＣＲＣによって保護されるこのようなグループベースのＤＣＩは、ＣＲＣオーバヘッドを低減し、かつチャネル符号化ゲインを高めるために使用され得る。ポーラ符号化は、次いで、このようなグループベースのＤＣＩを符号化／復号するために使用され得る。ポーラ符号化では、ゲインは、情報ブロックの長さに比例することができる。
【０１７５】
例では、スケジュールされたＷＴＲＵは、複数のグループへと分割され得る。グループのそれぞれは、グループ識別（グループＩＤ）を有することができる。グループ識別情報は、無線リソース制御（ＲＲＣ）メッセージ、またはレイヤ２（Ｌ２）メッセージによって信号送りされ得る。単一のＣＲＣにより保護されたＤＣＩのグループのそれぞれは、グループベースのＤＣＩが意図されたＷＴＲＵを識別する指示が追加され得る。ＤＣＩグループとのＷＴＲＵの関係は、例えば、２進ビットマップ、または事前に定義／指定されたシーケンスにより示され得る。グループ化されたＤＣＩから計算され得るＣＲＣパリティビットは、スクランブルされ得る。例えば、ＣＲＣパリティビットは、グループ識別（グループＩＤ）を用いてスクランブルされ得る。グループＩＤは、送信機と、受信機のそれぞれとの両方で知られているはずである。ＷＴＲＵは、グループベースのＤＣＩをモニタするように構成され得る。ＷＴＲＵは、例えば、グループＩＤに基づき、かつグループ内のＷＴＲＵの指示に基づいて、ＤＣＩをブラインド検出することができる。グループ化されたＤＣＩはＣＲＣと共に、ポーラ符号化され得る。
【０１７６】
２段のＤＣＩ手順が、グループベースのＤＣＩに適用され得る。２つのグループベースのＤＣＩが、別々に符号化され、順次復号され得る。第１のグループＤＣＩの復号は、例えば、ブラインド検出および限られた数のＣＲＣビットに起因して、誤警報を受ける可能性がある。不正確なグループＤＣＩは、データをさらに復号することができない結果となり得る。例えば、第２のグループＤＣＩを符号化するとき、誤り検出のさらなるレベルを展開することにより、第１のグループＤＣＩに関連する誤警報率が低減され得る。例では、第１のグループＤＣＩの一部またはすべては、第２のグループＤＣＩを符号化するためにポーラ符号を使用するとき、凍結ビットとして使用され得る。
【０１７７】
図１５は、ポーラ符号化される２段グループベースのＤＣＩに対する例示的なエンコーダの構造を示す。図１５で示されるように、第１のグループＤＣＩは、凍結ビットまたは凍結ビットの一部として使用され得る。第２のグループＤＣＩは、凍結セットの一部として埋め込まれた第１のグループＤＣＩに対応する情報を用いてポーラ符号化され得る。図１５で示されるように、第１のグループＤＣＩに対応する情報を含む凍結セットは、第２のグループＤＣＩをマップするのに使用されるビットチャネルよりも信頼性の低いビットチャネルにマップされ得る。
【０１７８】
第１のグループＤＣＩに関連する誤警報率を低減させる例では、グループＩＤが、第２のグループＤＣＩの符号化において利用され得る。例えば、第１のＤＣＩのすべて、または一部とＸＯＲ演算されるグループＩＤのすべて、または一部は、第２のグループＤＣＩを符号化する間、凍結ビットとして利用され得る。図１６は、ポーラ符号化される２段グループＤＣＩに対する例示的なエンコーダの構造を示す。図１６で示されるように、グループＩＤとＸＯＲ演算される第１のグループＤＣＩは、第２のグループＤＣＩの符号化において、凍結ビットとして利用され得る。第２のグループＤＣＩは、グループＩＤとＸＯＲ演算された第１のグループＤＣＩに対応する情報を用いてポーラ符号化され得る。グループＩＤとＸＯＲ演算された第１のグループＤＣＩは、第２のグループＤＣＩに対応する凍結セットの一部として埋め込まれ得る。例では、ＸＯＲ演算は、例えば、スクランブリング演算など、別の演算によって置き換えられ得る。図１６で示されるように、第１のグループＤＣＩに対応する情報を含む凍結セットは、信頼性の低いビットチャネルにマップされ得るが、第２のグループＤＣＩは、より高い信頼性を有するビットチャネルにマップされ得る。
【０１７９】
第１のグループＤＣＩを符号化するために、通常のポーラ符号に代えてＰＣポーラ符号が使用され得る。第１のグループＤＣＩを符号化するためにＰＣポーラ符号が使用される場合、例えば、図９で示されるように、グループＩＤは、ＰＣ凍結ビットをスクランブルするために使用され得る。ＰＣポーラ符号は、第２のグループＤＣＩを符号化するために使用され得る。第２のグループＤＣＩを符号化するために、ＰＣポーラ符号が使用されるとともに、第１のグループＤＣＩは、ＰＣ凍結ビットをスクランブルするために使用され、かつ第２のグループＤＣＩを符号化するために使用され得る。
【０１８０】
図１７は、ＰＣポーラ符号によって符号化される第２のグループＤＣＩの例である。図１７で示されるように、ＰＣ凍結ビット、またはＰＣ凍結セットは、第１のグループＤＣＩとＸＯＲ演算され得る。ＰＣ凍結ビットをＸＯＲ演算するために、第１のグループＤＣＩと共にグループＩＤが使用され得る。グループＩＤのすべて、または一部は、例えば、ＰＣ凍結ビットをＸＯＲ演算する場合、第１のグループＤＣＩのすべて、または一部と連結され得る。
【０１８１】
例では、グループＩＤのすべて、または一部は、第１のグループＤＣＩのすべて、または一部とＸＯＲ演算され得るが、それは、ＰＣ凍結ビットとＸＯＲ演算され得る。例では、第１のグループＤＣＩに対するＣＲＣビットは、例えば、第２のグループＤＣＩをポーラ符号化する間、グループＩＤのすべて、もしくは一部、または第１のグループＤＣＩ情報のすべて、もしくは一部に対して置き換えられ得る。したがって、第１のグループＤＣＩのすべて、もしくは一部は、第２のグループＤＣＩをポーラ符号化するために使用され得る凍結セットの一部として埋め込まれ得る。図１７で示されるように、第１のグループＤＣＩに対応し、かつＰＣ凍結ビットとＸＯＲ演算される情報を含む凍結セットは、第２のグループＤＣＩをマップするために使用されるビットチャネルよりも信頼性の低いビットチャネルにマップされ得る。
【０１８２】
ポーラ符号に対して、レートマッチングが提供され得る。ポーラ符号のレートマッチングを達成するために、ブロックベースのパンクチャリングが使用され得る。パンクチャリングは、ポーラ符号を再構成することなく使用され得る。例示的な第１のパターンＮpは、パンクチャされたビットの数とすることができ、符号化ビットの位置ＢＲ（Ｎ−１−ｐ、ｎ）、ｐ＝０、１、・・・、Ｎp−１がパンクチャされ得る。ビット予約行列（reserving matrix）がエンコーダで適用されたとき（例えば、式２の生成行列）、対応する入力ビットＮ−１−ｐ、ｐ＝０、１、・・・、Ｎp−１が、凍結ビットに含まれ得る。パンクチャリングの前のいくつかの凍結ビットを非凍結ビットに含めて、例えば、その含めることにより、同じ数の入力ビットを保持できるようにする。これは、再構成を必要としないはずである。入力ビットの中の元の信頼性の順序が再使用され得る。ビット反転行列がエンコーダで適用されない場合（例えば、式４における生成行列）、凍結ビットに含まれる対応する入力ビットは、ＢＲ（Ｎ−１−ｐ、ｎ）によって表され得る。ＢＲ（）は、ビット反転の演算とすることができる。例えば、ＢＲ（３、３）＝ＢＲ（０１１、３）＝１１０、長さ３を有する。再構成を必要とし得ない他のパンクチャリングパターンがあり得る。
【０１８３】
例示的な第２のパターンでは、Ｎpは、パンクチャされたビットの数とすることができ、また符号化ビットの位置Ｎ−１−ｐ、ｐ＝０、１、・・・、Ｎp−１がパンクチャされ得る。ビット予約行列がエンコーダで適用されたとき（例えば、式２の生成行列）、対応する入力ビットの位置ＢＲ（Ｎ−１−ｐ、ｎ）、ｐ＝０、１、・・・、Ｎp−１は、凍結ビットに含まれ得る。ビット予約行列がエンコーダで適用されない場合（例えば、式４における生成行列）、凍結ビットに含まれる対応する入力ビットは、例えば、ビット反転行列が適用されないとき、Ｎ−１−ｐとすることができる。パンクチャされた出力ビットに対応する入力ビットは、ゼロ値を有することができる。こうすることは、事前定義されたときに任意の値を有することのできる凍結ビットの他の実装形態とは異なることができる。
【０１８４】
ポーラ符号のマルチレベル構造が提供され得る。パンクチャリングパターンは、ブロックまたはグループベースのパターンへと拡張され得る。長さＮ1のブロックに基づく同じパターンが適用され得る。本明細書で述べられる例示的な第１および第２のパターンは、例えば、
【０１８５】
【数２３】
2020511027.tif 000026
【０１８６】
のブロックに対してなど、ブロックベースの手法へと拡張され得る。
【０１８７】
例示的な第１のブロックベースのパターンでは、Ｎpがパンクチャされるビットの数であると仮定すると、パンクチャされ得る符号化ビットの位置は、
【０１８８】
【数２４】
2020511027.tif 000027
【０１８９】
、ｐ＝０、１、・・・、Ｎp／ＮB−１、ｉ＝０、１、・・・、ＮB−１によって与えられ得る。ビット予約行列がエンコーダで適用される場合（例えば、式２の生成行列）、対応する入力ビット（Ｎ／ＮB−１−ｐ）×ＮB＋ｉ、ｐ＝０、１、・・・、Ｎp／ＮB−１、ｉ＝０、１、・・・、ＮB−１は、凍結ビットに含まれ得る。１つまたは複数の凍結ビット（例えば、パンクチャリングの前）は、例えば、入力ビットを凍結ビットに含めて、入力ビットの全体数を一定に維持することにより、非凍結ビットに含まれ得る。このような凍結ビットの再構成は実施されず、入力ビットの中の元の信頼性の順序が再使用され得る。
【０１９０】
Ｎpの数のパンクチャされたビットを有する例示的な第２のブロックベースのパターンでは、パンクチャされ得る符号化ビットの位置は、
【０１９１】
【数２５】
2020511027.tif 000028
【０１９２】
によって与えられ得る。入力ビットの対応する位置
【０１９３】
【数２６】
2020511027.tif 000029
【０１９４】
は、例えば、本明細書で述べるように、ビット反転行列が適用されない場合（例えば、式４の生成行列）、凍結ビットに含まれ得る。
【０１９５】
例示的な第３のブロックベースのパターンでは、Ｎpがパンクチャされるビットの数であると仮定すると、パンクチャされ得る符号化ビットの位置は、（Ｎ／ＮB−１−ｐ）×ＮB＋ｉ、ｐ＝０、１、・・・、Ｎp／ＮB−１、ｉ＝０、１、・・・、ＮB−１によって与えられる。ビット反転行列がエンコーダで適用される場合（例えば、式２の生成行列）、入力ビットの対応する位置
【０１９６】
【数２７】
2020511027.tif 000030
【０１９７】
が、凍結ビットに含まれ得る。
【０１９８】
例示的な第４のブロックベースのパターンでは、Ｎpがパンクチャされるビットの数であると仮定すると、パンクチャされ得る符号化ビットの位置は、例えば、ビット反転行列が適用できない場合、（Ｎ／ＮB−１−ｐ）×ＮB＋ｉ、ｐ＝０、１、・・・、Ｎp／ＮB−１、ｉ＝０、１、・・・、ＮB−１によって与えられる。本明細書で述べるように、例えば、ビット反転行列が適用できない場合（すなわち、式４の生成行列）、対応する入力ビットは、（Ｎ／ＮB−１−ｐ）×ＮB＋ｉ、ｐ＝０、１、・・・、Ｎp／ＮB−１、ｉ＝０、１、・・・、ＮB−１とすることができる。
【０１９９】
ＮBは、Ｎ1と同じ、または異なることができる。ブロックベースのパンクチャリングは、例えば、短縮化に基づくことのできるパンクチャリングのパターンに使用される、または拡張され得る。凍結ビットの再構成は、必要とされない可能性がある。例えば、ビット反転行列を使用しない場合、対応する入力ビットは、構造に依存することができる。対応する入力ビットは、例えば、エンコーダで適用されるビット反転行列を用いる（例えば、式２の生成行列）、または用いない（例えば、式４の生成行列）スキームに基づいて変更され得る。
【０２００】
ブロックベースのパンクチャリングは、分解構造のポーラ符号に対する再構成を必要としない可能性がある。図３で示されるように、要素符号ブロックＰiのそれぞれは、再構成される必要がない可能性がある。例えば、短縮化に基づいて、信頼性順序のシフトがパンクチャリングに対して行われ得る。ブロックＱjが、本明細書で述べるようにブロックベースのパンクチャリングを用いてパンクチャされると仮定し、かつ多段復号を仮定すると、図３で示されるように、固定長を有する同じパンクチャされたビットインデックスが、Ｐiのそれぞれに適用され得る。
【０２０１】
図１８は、様々な例示的なパンクチャリング機構のブロック誤り率（ＢＬＥＲ）性能比較を示す。図１８は、例えば、Ｎ＝１０２４、Ｋ＝５１２、Ｎ1＝４、および加算性白色ガウス雑音（ＡＷＧＮ）チャネル下のＢＰＳＫ変調に基づくシミュレーションを示す。例えば、Ｎp＝１２８およびＮp＝３８４の２つの場合がシミュレートされ、比較される。ブロックベースのパンクチャリングの例では、ブロックのＮB＝Ｎ1＝４符号化ビットが、前述の例示的パターンに従ってパンクチャされる、またはパンクチャされない。
【０２０２】
図１８における例の比較は、多段復号とＳＣ復号の間で、極めてわずかな差の性能を示すだけである。多段復号を有するブロックに基づく第２のパンクチャリングパターンは、別のパンクチャリングパターンとほぼ同じ性能を示している。第１のパンクチャリングパターンは、第２のものよりも多くの差を示している。第２のブロックベースのパンクチャリングは、例えば、パンクチャされたビットが比較的少ない（例えば、Ｎp＝１２８）場合、別の（例えば、従来の）パンクチャリングスキームよりもわずかに（約０．１ｄＢ）良好な性能を示す。
【０２０３】
各要素符号Ｐiに対する符号化率は、例えば、ブロックベースのパンクチャリングが適用され、入力の数が同じであると、同一であり得る。各要素符号に対する異なる符号化率は、例えば、１つまたは複数の例示的な手法により実施され、達成され得る。
【０２０４】
例では、要素符号の１つは、参照要素符号とすることができる。ブロックベースのパンクチャリングは、参照要素符号によって利用され得る。参照要素符号は、事前定義され得る。第１のＤＣＩまたは第２のＤＣＩを搬送する制御チャネル（例えば、対応する要素符号）は、参照要素符号として選択され得る。参照要素符号は信号送りされ、かつＷＴＲＵ特有の、またはＷＴＲＵグループ特有のものとすることができる。参照要素符号は、動的に、または半静的に信号送りされ得る。参照要素符号は、最高の符号化率を必要とする、または最大数のパンクチャリングインスタンスを必要とし得る。参照要素符号を除く１つまたは複数の要素符号は、例えば、ブロックベースのパンクチャリングの後、各要素符号に要求され得る符号化率を満たすための反復を含むことができる。
【０２０５】
複数のＤＣＩが、例えば、分解に基づくことのできるスキームに代えて、別々の（例えば、独立した）制御チャネルによって構成され得る。基地局（例えば、ｇＮＢ）は、スキームを決定し、かつそれをＷＴＲＵまたはＵＥに信号送りすることができる。スキームは、別々のスキームが、ＤＣＩのそれぞれに適用されるのか、それとも分解に基づくスキームが複数のＤＣＩに適用されるのかの指示を提供することができる。シグナリングは、ＷＴＲＵ特有のもの、またはグループ特有のもの（例えば、ＷＴＲＵまたはＵＥのグループに共通のもの）とすることができる。シグナリングは、動的なもの、または半静的なものとすることができる。
【０２０６】
出力ビットの反復が利用され得る。例えば、ポーラエンコーダの出力ビットｃi（ｉ＝０、１、・・・、Ｎ−１）は、ビット反転のパターンを用いることにより反復され得る。Ｒビットが反復される必要があり得る例では、ｃBR(j、n)（ｊ＝０、１、・・・、Ｒ−１）が反復され得る。
【０２０７】
ビット反転ベースの反復は、開始インデックスから（例えば、０からＮ−１まで）、または終了インデックスから（例えば、Ｎ−１から０まで）開始することができる。開始インデックスから開始することは、例えば、ｃBR(j、n)（ｊ＝０、１、・・・、Ｒ−１）によって示され得る。終了インデックスから開始することは、例えば、Ｎ−１、ｃBR(N-1-j、n)（ｊ＝０、１、・・・、Ｒ−１）によって示され得る。
【０２０８】
ビット反転ベースの反復は、オフセットを有することができる。反復位置のインデックスは、例えば、（ＢＲ（ｊ、ｎ）＋ＯBR）％Ｎ、または（ＢＲ（Ｎ−１−ｊ、ｎ）＋ＯBR）％Ｎにより与えられ得る。ＯBRはオフセット値、％はモジュラー演算子とすることができ、またａ％ｂは、ａ／ｂの剰余とすることができる。
【０２０９】
ビット反転ベースの反復は、漸近的に一様なパターンを提供することができ、また広範囲な反復に対して安定した性能を提供することができる。ビット反転ベースの反復は、例えば、非常に簡単なハードウェア構成により実施され得る。
【０２１０】
ポーラエンコーダの出力ビットｃi（ｉ＝０、１、・・・、Ｎ−１）は、連続的に反復され得る。例では（例えば、Ｒビットが反復され得る場合）、ｃj（ｊ＝０、１、・・・、Ｒ−１）、またはｃN-1-j（ｊ＝０、１、・・・、Ｒ−１）は、オフセットを用いて、または使用せずに反復され得る。
【０２１１】
反復は、入力ビットの信頼性を考慮する、または補償することができる。（例えば、Ｆ（ｋ）（ｋ＝０、１、・・・、Ｎ−１）が、入力ビットにおけるＮ−１−ｋ番目の信頼性のあるビットのインデックスを示すことのできる場合の）例では、Ｆ（ｋ）（ｋ＝０、１、・・・、Ｎ−１）は、出力ビットにおける反復の位置の決定に含まれ得る。例えば、Ｆ（０）は、最も信頼性の低いビットの入力インデックスとすることができ、またＦ（Ｎ−１）は、最も信頼性のあるビットの入力インデックスとすることができる。
【０２１２】
入力ビットは、信頼性のドメインで一様に選択され得る。選択された入力ビットに関連付けられた出力ビットは、反復され得る。出力ビットと入力ビットの間の関連付けは、入力ビットインデックスと出力ビットインデックスとの間の関係を示唆することができる。その関係は、複数タイプのものであり得る。例えば、入力ビットインデックスは、出力ビットインデックスのビット反転を含むことができる。例では、入力ビットインデックスは、出力ビットインデックスと同一にすることができる。
【０２１３】
入力インデックスは、信頼性ドメインにおいて選択され得る（例えば、一様に選択される）。入力ビットインデックスの選択は、
【０２１４】
【数２８】
2020511027.tif 000031
【０２１５】
および
【０２１６】
【数２９】
2020511027.tif 000032
【０２１７】
の間隔を選択することを含むことができ、ただし、
【０２１８】
【数３０】
2020511027.tif 000033
【０２１９】
は、実数ａに最も近い整数を示すことができ、また
【０２２０】
【数３１】
2020511027.tif 000034
【０２２１】
または
【０２２２】
【数３２】
2020511027.tif 000035
【０２２３】
は、反復の出力ビットインデックスとすることができる。
【０２２４】
例えば、符号化率が高く、かつ反復数が比較的大きいとき、ビット反転ベースの反復に代えて、信頼性ベースの反復が使用され得る。例えば、信頼性ベースの反復は、信頼性インデックスＦ（ｋ）の記憶を必要とし、かつインデックス付けのためにさらなる演算を含む可能性があるため、信頼性ベースの反復は、ビット反転ベースの反復よりもさらに複雑になり得る。
【０２２５】
入力インデックスは、例えば、ビット反転、ランダムタイプインターリーバ、および／またはレートマッチングアルゴリズムを用いて一様に選択され得る。ビット反転の例では、ビット反転ベースの反復に使用され得る反復インデックスが、入力ビットの選択に使用され得る。ランダムタイプインターリーバの例では、ランダムインターリーバからの出力ビットのいくつかの部分が、入力ビットの選択用に選択され得る。ランダムインターリーバは、例えば、ＬＴＥで使用されるサブブロックインターリーバとすることができる。
【０２２６】
レートマッチングアルゴリズムの例では（例えば、ＬＴＥで使用される）、一様に分散されたパンクチャリングおよび反復のパターンを生成できるレートマッチングが、入力ビットの選択に使用され得る。レートマッチングアルゴリズムは、パンクチャリングまたは反復の数により規定され得る値を、初期値から減算することができる。減算は、繰り返して実施され得る。パンクチャリングまたは反復は、例えば、ゼロ未満の値に達したときに行うことができる。
【０２２７】
信頼性ベースの反復は、信頼性ドメインまたは入力インデックスドメインの開始インデックスから開始することができる。信頼性ベースの反復は、信頼性ドメインまたは入力インデックスドメインの終了インデックスから開始することができる。例では、
【０２２８】
【数３３】
2020511027.tif 000036
【０２２９】
または
【０２３０】
【数３４】
2020511027.tif 000037
【０２３１】
または
【０２３２】
【数３５】
2020511027.tif 000038
【０２３３】
または
【０２３４】
【数３６】
2020511027.tif 000039
【０２３５】
など、反復の４つの変形形態があり得る。
【０２３６】
信頼性ベースの反復の例では、信頼性ドメインまたは入力インデックスドメインに、オフセットが追加され得る。オフセットを追加した後、モジュラー演算が行われ得る。
【０２３７】
図１９は、制御情報に対するポーラ符号化システムの例である。例えば、誤り検出用のＣＲＣビットが、制御情報に付加され得る（例えば、アップリンク制御情報（ＵＣＩ）、およびダウンリンク制御情報（ＤＣＩ））。図１９で示されるように、マザー符号ブロックサイズは、符号化率Ｒ、情報ブロックサイズＫなどの１つまたは複数の入力に基づいて決定され得る。ＣＲＣビット（例えば、１６ＣＲＣビット）が、情報ブロックサイズＫに付加され得る。符号化ビットの合計数は、例えば、
【０２３８】
【数３７】
2020511027.tif 000040
【０２３９】
ビットと計算され得る。例えば、２n≦Ｎ＜２n+1のように、整数ｎが決定され得る。例えば、ポーラ符号のマザー符号ブロックサイズは、２nと２n+1の間に決定され得る。望ましい符号化ビットＮに一致させるために、反復スキーム（例えば、Ｎ−２nビットを反復することによる）が使用され得る。望ましい符号化ビットＮに一致させるために、パンクチャリングスキーム（例えば、２n+1−Ｎビットをパンクチャすることによる）が使用され得る。パンクチャリングと反復の間の決定は、異なる基準に基づくことができる。例えば、（１）パンクチャリングスキームは、例えば、Ｎ−２n＞Ｔ1ビットのときに使用され得る。その他の場合、反復スキームが使用され得る。（２）パンクチャリングスキームは、例えば、２n+1−Ｎ＜Ｔ2ビットのときに使用され得る。その他の場合、反復スキームが使用され得る。（３）パンクチャリングスキームは、例えば、
【０２４０】
【数３８】
2020511027.tif 000041
【０２４１】
のときに使用され得る。その他の場合、反復スキームが使用され得る。（４）例えば、
【０２４２】
【数３９】
2020511027.tif 000042
【０２４３】
のとき、パンクチャリングスキームが使用され得る。その他の場合、反復スキームが使用され得る。
【０２４４】
図１９で示されるように、マザー符号ブロックサイズ（例えば、２nまたは２n+1）を決定することに加えて、短縮化機構としてパンクチャリングまたは反復が使用されるかどうかの決定が行われ得る。例えば、マザー符号ブロックサイズの決定は、シーケンス選択を決定するために使用され得る。シーケンス選択は、１つまたは複数の信頼性ランクシーケンスを決定する、または保管することができる。シーケンスは、例えば、チャネル状態（例えば、信号対雑音比（ＳＮＲ））に基づき、制御情報を符号化するために選択され得る。マザー符号ブロックサイズは、例えば、決定された符号ブロックサイズへと、選択されたシーケンスを低減または拡大することができる。選択されたシーケンス（例えば、長さ２nまたは２n+1）が使用されて、制御情報の符号化に使用されるポーラ符号を決定することができる。ＳＮＲに依存する複数のシーケンス選択が適用され得る。
【０２４５】
ポーラエンコーダは、例えば、入力シーケンスに基づいて、入力ビットを非凍結ビットセットにマップすることができる。ポーラエンコーダは、ポーラ符号化に対してＸＯＲ演算を適用することができる。ポーラエンコーダは、ＰＣポーラ符号化、または他の（例えば、通常の）ポーラ符号化に基づくことができる。
【０２４６】
ポーラエンコーダは、長さ２nまたは２n+1の出力シーケンスを生成することができる。出力ビットは、例えば、反復の場合、循環バッファに保管されるなど、保管され得る。出力ビットは、保管する前に、再シャッフル（例えば、再順序付け）されることも、されないこともあり得る。再シャッフルされた出力ビットは、循環バッファに保管され得る。例えば、再シャッフルは、シーケンスタイプの反復には実施されない可能性がある。再シャッフルは、ビット反転タイプの反復に実施され得る。上記で述べられた例示的な反復スキームが実施され得る。
【０２４７】
特徴、要素、および行為（例えば、プロセスおよび手段）が、非限定的な例により述べられている。諸例は、ＬＴＥ、ＬＴＥ−Ａ、新無線（ＮＲ）、または５Ｇプロトコルを対象とするが、本明細書の主題は、他の無線通信、システム、サービス、およびプロトコルに適用することができる。述べられた主題の各特徴、要素、行為、または他の態様は、図示されているか、記載されているかにかかわらず単独で実施され得るが、または本明細書で示された例にかかわらず、既知であろうと未知のものであろうと、任意の順序で、他の主題を含む任意の組合せで実施され得る。
【０２４８】
特徴および要素が、特定の組合せにて上記で述べられているが、当業者であれば、各特徴または要素は、単独で使用され得る、または他の特徴および要素との任意の組合せで使用され得ることが理解されよう。加えて、本明細書で述べられる方法は、コンピュータまたはプロセッサにより実行されるコンピュータ可読媒体に組み込まれたコンピュータプログラム、ソフトウェア、またはファームウェアで実施され得る。コンピュータ可読媒体の例は、電子信号（有線または無線接続を介して送信される）、およびコンピュータ可読記憶媒体を含む。コンピュータ可読記憶媒体の例は、これだけに限らないが、読出し専用メモリ（ＲＯＭ）、ランダムアクセスメモリ（ＲＡＭ）、レジスタ、キャッシュメモリ、半導体メモリデバイス、内蔵ハードディスクおよび取外し可能ディスクなどの磁気媒体、光磁気媒体、ならびにＣＤ−ＲＯＭディスクおよびデジタル多用途ディスク（ＤＶＤ）などの光媒体を含む。ソフトウェアに関連付けられたプロセッサは、１つのＷＴＲＵ、ＷＴＲＵ、端末、基地局、ＲＮＣ、または任意のホストコンピュータで使用される無線周波数送受信機を実施するために使用され得る。
【図１Ａ】
2020511027.tif 000043
【図１Ｂ】
2020511027.tif 000044
【図１Ｃ】
2020511027.tif 000045
【図１Ｄ】
2020511027.tif 000046
【図２】
2020511027.tif 000047
【図３】
2020511027.tif 000048
【図４】
2020511027.tif 000049
【図５】
2020511027.tif 000050
【図６】
2020511027.tif 000051
【図７】
2020511027.tif 000052
【図８】
2020511027.tif 000053
【図９】
2020511027.tif 000054
【図１０】
2020511027.tif 000055
【図１１】
2020511027.tif 000056
【図１２】
2020511027.tif 000057
【図１３】
2020511027.tif 000058
【図１４】
2020511027.tif 000059
【図１５】
2020511027.tif 000060
【図１６】
2020511027.tif 000061
【図１７】
2020511027.tif 000062
【図１８】
2020511027.tif 000063
【図１９】
2020511027.tif 000064
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
プロセッサであって、少なくとも
ポーラ符号化された第１のダウンリンク制御情報（ＤＣＩ）を受信し、
前記ポーラ符号化された第１のＤＣＩを復号し、
埋め込まれた第１のＤＣＩと共にポーラ符号化された第２のＤＣＩを受信し、前記埋め込まれた第１のＤＣＩは、凍結セットの一部であり、前記ポーラ符号化された第２のＤＣＩは、複数の第１のビットチャネルを介して受信され、前記埋め込まれた第１のＤＣＩは、複数の第２のビットチャネルを介して受信され、前記複数の第１のビットチャネルは、前記複数の第２のビットチャネルよりも高い信頼性のものであり、
前記復号された第１のＤＣＩを用いて前記ポーラ符号化された第２のＤＣＩを復号し、
復号された第１のＤＣＩにより前記第２のＤＣＩを復号することが成功しない場合、前記復号された第１のＤＣＩを廃棄する
よう構成されたプロセッサ
を備えた無線送受信ユニット（ＷＴＲＵ）。
【請求項２】
前記埋め込まれた第１のＤＣＩは、ＷＴＲＵ識別（ＷＴＲＵ  ＩＤ）またはグループ識別（グループＩＤ）の少なくとも一部によりマスクされる請求項１に記載のＷＴＲＵ。
【請求項３】
前記埋め込まれた第１のＤＣＩ、および前記ＷＴＲＵ  ＩＤまたは前記グループＩＤの前記少なくとも一部は、ＸＯＲ演算を用いて組み合わされる請求項２に記載のＷＴＲＵ。
【請求項４】
前記第１のＤＣＩは、タイムクリティカルなＤＣＩを含む請求項１に記載のＷＴＲＵ。
【請求項５】
前記タイムクリティカルなＤＣＩは、物理ダウンリンク共有チャネル（ＰＤＳＣＨ）または物理アップリンク共有チャネルＰＵＳＣＨに対する割振り情報、ランク情報、変調次数のうちの１つまたは複数を含む請求項４に記載のＷＴＲＵ。
【請求項６】
前記第２のＤＣＩは、タイムクリティカルでないＤＣＩを含む請求項１に記載のＷＴＲＵ。
【請求項７】
前記タイムクリティカルでないＤＣＩは、新規データ指示（ＮＤＩ）、冗長バージョン（ＲＶ）、変調および符号化スキーム（ＭＣＳ）のうちの１つまたは複数を含む請求項６に記載のＷＴＲＵ。
【請求項８】
前記ＷＴＲＵは、ＷＴＲＵの構成されたグループの一部である請求項１に記載のＷＴＲＵ。
【請求項９】
前記第１のＤＣＩおよび前記第２のＤＣＩの各々は、ＷＴＲＵの前記構成されたグループに関連付けられたグループＤＣＩである請求項８に記載のＷＴＲＵ。
【請求項１０】
無線送受信ユニット（ＷＴＲＵ）に実装されるポーラ復号方法であって、
ポーラ符号化された第１のダウンリンク制御情報（ＤＣＩ）を受信することと、
前記ポーラ符号化された第１のＤＣＩを復号することと、
埋め込まれた第１のＤＣＩと共にポーラ符号化された第２のＤＣＩを受信することであって、前記埋め込まれた第１のＤＣＩは、凍結セットの一部であり、前記ポーラ符号化された第２のＤＣＩは、複数の第１のビットチャネルを介して受信され、前記埋め込まれた第１のＤＣＩは、複数の第２のビットチャネルを介して受信され、前記複数の第１のビットチャネルは、前記複数の第２のビットチャネルよりも高い信頼性のものである、ことと、
前記復号された第１のＤＣＩを用いて前記ポーラ符号化された第２のＤＣＩを復号することと、
復号された第１のＤＣＩにより前記第２のＤＣＩを復号することが成功しない場合、前記復号された第１のＤＣＩを廃棄することと
を備えるポーラ復号方法。
【請求項１１】
前記埋め込まれた第１のＤＣＩは、ＷＴＲＵ識別（ＷＴＲＵ  ＩＤ）またはグループ識別（グループＩＤ）の少なくとも一部によりマスクされる請求項１０に記載の方法。
【請求項１２】
前記埋め込まれた第１のＤＣＩ、および前記ＷＴＲＵ  ＩＤまたは前記グループＩＤの前記少なくとも一部は、ＸＯＲ演算を用いて組み合わされる請求項１１に記載の方法。
【請求項１３】
前記第１のＤＣＩは、タイムクリティカルなＤＣＩを含み、前記タイムクリティカルなＤＣＩは、物理ダウンリンク共有チャネル（ＰＤＳＣＨ）または物理アップリンク共有チャネルＰＵＳＣＨに対する割振り情報、ランク情報、変調次数のうちの１つまたは複数を含む請求項１０に記載の方法。
【請求項１４】
前記第２のＤＣＩは、タイムクリティカルでないＤＣＩを含み、前記タイムクリティカルでないＤＣＩは、新規データ指示（ＮＤＩ）、冗長バージョン（ＲＶ）、変調および符号化スキーム（ＭＣＳ）のうちの１つまたは複数を含む請求項１０に記載の方法。
【請求項１５】
前記ＷＴＲＵは、ＷＴＲＵの構成されたグループの一部であり、前記第１のＤＣＩおよび前記第２のＤＣＩの各々は、ＷＴＲＵの前記構成されたグループに関連付けられたグループＤＣＩである請求項１０に記載の方法。
【国際調査報告】
2020511027.tif 000065
2020511027.tif 000066
2020511027.tif 000067